(57)【要約】【課題】照明の消し忘れの防止、人の異常状態、火災、不法侵入の通報、ピッキング防止、電気設備等の遠隔制御等が行え、かつ装置の取り付けが簡単に行える制御装置を提供する。【解決手段】自動モードが選択された場合には、人感知センサ１３により室内に人が存在するか否か判断する。扉感知センサ１５の送光素子から出力された光はリフレクタ４３で反射され、受光素子に入力される。扉４１が開かれると扉感知センサ１５の受光素子に入力される光量が減り、出力電圧が低下する。この電圧を設定電圧値と比較し、設定電圧値未満になったとき扉４１が開かれたと判断する。そして、リレー５１をＯＮして電球３を点灯する。【選択図】図１８
2008299878.tif 000002
【特許請求の範囲】
【請求項１】
電源ラインに接続された蛍光管保持具のプラグ若しくは蛍光管の電極端子接続部分より給電されるアダプタと、
該アダプタに配設され人の存在を感知する人感知センサと、
人が外出中で不法侵入を警戒するモードの開始、停止であることを指定する警戒モード指定手段と、
該警戒モード指定手段での不法侵入警戒モードの開始を指定後に前記人感知センサで人の存在を感知したとき不法侵入が行われたと判断する不法侵入判断手段とを備えたことを特徴とする制御装置。
【発明の詳細な説明】
【技術分野】
【０００１】
本発明は制御装置に係わり、特に照明の消し忘れの防止、人の異常状態、火災、不法侵入の通報、ピッキング防止、電気設備等の遠隔制御等が行え、かつ装置の取り付けが簡単に行える制御装置に関する。
【背景技術】
【０００２】
近年、一人暮らしのお年寄りが増加傾向にあり、お年寄りの多くは何らかの体の不安を気遣いつつ生活を送っている。特に、健康に不安のあるお年寄りにとっては、自身の体調の異常を相手先に確実かつ素早く伝えられる方法がある場合には、かなり安心した日常生活が送れる。
【０００３】
また、家庭内において、無駄な照明等をつけっぱなしの状態のことがよくある。更に、就寝中に生じた火災やガス漏れによって、特に子供や老人が逃げ遅れて犠牲となる場合が多い。一人暮らしを狙った泥棒等の不法侵入も増加傾向にある。ピッキングの手口も巧妙化している。
更に、携帯電話やパソコン等の情報機器やリモコンが近年は普及し、日常生活においても必需品となっている。
【発明の開示】
【発明が解決しようとする課題】
【０００４】
ところで、かかる体調異常の報知、照明の消し忘れの防止、火災や不法侵入の報知、ピッキング防止等を素人でも出来る程度の簡単な工事で、かつ安価に提供出来るシステムは従来存在しない。また、家庭内での電気設備等の手元制御、ネットによる遠隔制御や異常情報の取得が前述の情報機器で安価に、かつ簡単な工事で可能となれば便利である。
【０００５】
本発明はこのような従来の課題に鑑みてなされたもので、照明の消し忘れの防止、人の異常状態、火災、不法侵入の通報、ピッキング防止、電気設備等の遠隔制御等が行え、かつ装置の取り付けが簡単に行える制御装置を提供することを目的とする。
【課題を解決するための手段】
【０００６】
このため本発明は、電源ラインに接続された照明器具取付用の電極端子と、該電極端子に対し取付、取り外し自在で、取り付けられたときに該電極端子より給電されるアダプタと、該アダプタに対し取り付け自在で、取り付けられたときに該アダプタより給電される照明器具と、前記アダプタに配設され人の存在を感知する人感知センサと、人が外出中で不法侵入を警戒するモードの開始、停止であることを指定する警戒モード指定手段と、該警戒モード指定手段で不法侵入警戒モードの開始を指定後に前記人感知センサで人の存在を感知したとき不法侵入が行われたと判断する不法侵入判断手段と、該不法侵入判断手段で不法侵入が判断されたとき前記照明器具と警報を制御する不法侵入時制御手段とを備えて構成した。
また、本発明は、前記不法侵入判断手段と前記不法侵入時制御手段が前記アダプタ内に備えられたことを特徴とする。
更に、本発明は、壁に埋め込まれ又は壁に取り付けられるアダプタと、該アダプタに配設され人の存在を感知する人感知センサと、人が外出中で不法侵入を警戒するモードの開始、停止であることを指定する警戒モード指定手段と、該警戒モード指定手段での不法侵入警戒モードの開始を指定後に前記人感知センサで人の存在を感知したとき不法侵入が行われたと判断する不法侵入判断手段とを備えて構成した。
更に、本発明は、前記アダプタは電源ラインに直接若しくは電源プラグを介して所定のコンセントに接続され、該アダプタには前記照明器具を操作する操作スイッチが配設されたことを特徴とする。
更に、本発明は、前記アダプタにはコンセントが配設され、該コンセントに接続した電気設備を操作する操作手段を備えて構成した。
更に、本発明は、電源ラインに接続された蛍光管保持具のプラグ若しくは蛍光管の電極端子接続部分より給電されるアダプタと、該アダプタに配設され人の存在を感知する人感知センサと、人が外出中で不法侵入を警戒するモードの開始、停止であることを指定する警戒モード指定手段と、該警戒モード指定手段での不法侵入警戒モードの開始を指定後に前記人感知センサで人の存在を感知したとき不法侵入が行われたと判断する不法侵入判断手段とを備えて構成した。
アダプタは、蛍光灯照明器具の蛍光管等の電極端子から給電可能とする。このため、ソケットやプラグ等から直接の給電が困難な場合であっても、既設の家庭や事務所等の蛍光灯照明器具の電極端子から給電可能である。
アダプタは、家庭や事務所等で既に設備されている電極部より給電可能である。送信は、所定の情報端末よりインターネット又は電子メールを介してアダプタに対し行う。アダプタに例えば照明を設備すれば、この照明を直接制御可能である。また、このアダプタより赤外線、超音波、無線等の信号送出により離れた所に存在する被制御対象機器を制御可能としてもよい。この際の制御は、この被制御対象機器を制御するリモコンに採用されている信号と同一の仕様の信号とするのが望ましい。このことにより、既存の設備を生かした形で、工事も不要又は素人でもできる程度の工事で遠隔制御が可能となる。
不法侵入の判断の開始、停止を遠隔制御可能としてもよい。この場合には、不法侵入の判断の開始、停止を設定し忘れた状態で外出したときに便利である。
更に、本発明は、照明器具と、該照明器具を制御する照明器具制御手段を備え、前記不法侵入判断手段で不法侵入が判断されたとき前記照明器具を制御することを特徴とする。
更に、本発明は、前記アダプタには、部屋、通路、玄関の出入口である扉の開閉を感知可能な扉感知手段を備え、前記不法侵入判断手段では、該扉感知センサの信号の変化に基づき不法侵入が判断されることを特徴とする。
例えば、不法侵入モードの判断の開始、停止を玄関の出入口である扉を隔てた戸外にて指令可能である。不法侵入モードの判断が開始された場合には、ピッキングで仮に鍵が開けられた場合でも、不法侵入判断手段で不法侵入が監視されるため安心である。
更に、本発明は、明るさを検出する照度検出手段と、該照度検出手段で検出された明るさが予め設定された設定値以下か否かを判断する照度判断手段と、前記警戒モード指定手段での不法侵入警戒モードの開始を指定後に前記明るさが設定値以下となったとき所定の照明を点灯する点灯手段とを備えて構成した。
人が不在のときに暗い部屋の状態が長く続くことは、その分不法侵入される危険性が高い。そこで、不法侵入の判断が開始された場合には、室内の明るさが設定値以下となったとき所定の照明を点灯する。
更に、本発明は、時刻を計測する時刻計測手段と、前記警戒モード指定手段での不法侵入警戒モードの開始を指定後に前記時刻計測手段により計測された時刻が設定値となったとき所定の照明の点灯を制御する照明制御手段とを備えて構成した。
更に、本発明は、扉に配設された錠前と、該錠前のロック又はロック解錠を前記警戒モード指定手段によるモードの開始、停止信号に基づき行う錠前制御手段とを備えて構成した。
不法侵入モードの判断を開始する際には錠前を同時にロックする。一方、不法侵入モードの判断を停止する際には錠前を同時にロック解錠する。このことにより、外出、帰宅の際に指令送信手段による指令を１回操作するだけですむので楽である。
錠前のロックをし忘れたときに便利である。また、訪ねてきた知人や親類、家族等のために遠方より錠前のロック解錠や不法侵入モードの判断の停止をしてあげることができる。更に、所定のセンター等により、人の異常時等に駆けつけた緊急員のために錠前のロック解錠ができる。
更に、本発明は、前記不法侵入判断手段で不法侵入と判断されたとき撮像する撮像手段を備えて構成した。
緊急時のみに撮像手段のスイッチが起動されるので無駄がない。
広視野角度にて撮像することで、室内の撮影死角を無くすことができる。また、ぼかしにより撮像することで、撮像される人のプライバシーに配慮することができる。ぼかしはフィルタにより又はソフトウェア処理により可能である。
撮像手段で撮像された画像は、電子メールに添付され、あるいは画像情報として送信される。画像により確認できるので、誤報が少なくなると共に、記憶手段により記憶されるので後日の証拠ともなる。
撮像された画像を予め登録された人の画像と比較することで、不法侵入の判断を正確にすることができる。
更に、本発明は、前記不法侵入判断手段で不法侵入の行われたことを連絡する連絡手段を備えて構成した。
更に、本発明は、前記人感知センサで人の存在が感知され、かつ該人の存在感知開始後所定時間経過しても前記人感知センサによる検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つが行える人異常連絡手段を備えて構成した。
但し、人の異常が判断されたときに直ちに照明器具を点灯してもよい。また、室内の明るさが設定値以下のときに点灯するようにしてもよい。照明器具が点灯されることで、安全が確保される。駆けつけた緊急員にも室内が明るいことで、状態が分かり易く活動し易い。
更に、本発明は、前記アダプタには、部屋、通路、玄関の出入口である扉の開閉を感知可能な扉感知手段を備え、該扉の開閉感知後、所定時間経過しても前記扉感知手段による検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つが行える人異常連絡手段を備えて構成した。
更に、本発明は、冷蔵庫の扉の開閉を感知する冷蔵庫扉開閉感知センサと、前記アダプタには、該冷蔵庫扉開閉感知センサからの信号を受信する冷蔵庫扉感知手段を備え、該扉の開閉感知後、所定時間経過しても前記扉感知手段による検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つが行える人異常連絡手段を備えて構成した。
冷蔵庫の扉の開閉が行われている場合には、その人が正常であると判断できる。
更に、本発明は、前記アダプタには、リモコンの操作を感知可能なリモコン操作感知手段を備え、該リモコンの操作を感知後、所定時間経過しても前記リモコン操作感知手段による検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つが行える人異常連絡手段を備えて構成した。
更に、本発明は、前記人感知センサで人の存在の有無を感知したとき前記照明器具若しくは前記電気設備のスイッチをＯＮ若しくはＯＦＦ制御する制御手段を備えて構成した。
更に、本発明は、前記扉感知手段で扉の開閉を感知したとき前記照明器具若しくは前記電気設備のスイッチをＯＮ若しくはＯＦＦ制御する制御手段を備えて構成した。
更に、本発明は、前記人感知センサは前記アダプタより取り外し可能であることを特徴とする。
更に、本発明は、前記アダプタが照明器具の傘及び／又は照明回路部と一体化されたことを特徴とする。
なお、本発明は、前記指令送信手段は携帯電話と一体化された携帯端末装置とされることも可能である。
携帯電話によりインターネット接続すれば、指令信号をインターネットや電子メールを介して送ることができる。従って、１本の携帯端末装置により不法侵入モードや錠前の制御が状況に応じて直接又は遠隔操作可能となる。携帯端末装置は、リモコンとして機能させることで、室内の電気設備機器をリモコン操作可能としてもよい。携帯電話は、外出時にも必需品となっており、外出時に不法侵入モードや錠前のロックの操作が必ず行なわれることで、携帯電話の持参を忘れることはなくなる。
また、本発明は、前記被制御対象機器がビデオ、テレビ若しくはラジオ等の試聴装置であり、前記情報端末には所定のサイトより番組表がダウンロードされ、前記制御命令は、前記番組表に付されたＧコード又は番組であるとされることも可能である。
情報端末は、携帯可能な携帯電話や携帯情報端末、パソコンである。番組表をダウンロードして、好みの番組を選択可能である。この番組を選択することで、情報端末にて番組の内容がダウンロードされ、番組を視聴可能である。一方、録画、録音の予約をする場合には、番組表から番組が選択されることで、この番組に付されたＧコード又は番組が制御命令として送信される。そして、この制御命令は、被制御対象機器に対しリモコン信号等により伝えられる。このことにより、家庭内等に設置されたビデオ等での番組の録画、録音の予約が遠隔操作にてできる。
更に、本発明は、人の異常を判断する判断手段と、携帯端末装置と、該携帯端末装置に配設されたスリープボタンの押キー操作又は該押キー操作に基づく学習により記憶されたその人特有の睡眠時間帯を基に、前記人の異常の判断の停止を行う睡眠時処理手段を備えて構成することも可能である。
スリープボタンの押キー操作により、携帯端末装置から赤外線等でラジオ等の電気設備機器に対しスリープモードを設定可能である。スリープモードが設定された場合には、設定時間経過後に自動的にラジオ等の電気設備機器の電源がＯＦＦされる。但し、かかる制御を行わず、単にその人特有の睡眠時間を監視するためにのみ用いてもよい。このスリープボタンの押キー操作により、人が睡眠に入ることが分かるため、人の異常の判断の停止等が可能となる。また、仮にスリープボタンの押キー操作が無かった場合でも、学習機能によりその人特有の睡眠時間帯が判断される。このため、人の異常の判断の精度が向上する。
更に、本発明は、前記人異常連絡手段からの有線信号又は該人異常連絡手段とは独立して配設された室内設置の電話機からの有線信号のいずれかを外部電話回線に中継する中継手段を備えて構成することも可能である。
室内設置の電話機からの有線信号と人異常連絡手段からの有線信号とを中継手段にて中継することで、電話回線の契約は１回線ですむ。
更に、本発明は、火災、ガス漏れを検出する検出手段と、該検出手段で検出された火災信号等を送信する送信手段と、該送信手段で送信された火災信号等を受信する受信手段と、該受信手段で受信された火災信号等に基づき警告を発する警告手段とを備え、前記受信手段及び前記警告手段が携帯端末装置に配設されることも可能である。
【０００７】
更に、本発明は、電波により相手先と交信の可能な携帯電話手段と、被対象機器に対しリモコン操作可能なリモコン手段と、該リモコン手段及び前記携帯電話手段を内蔵したケースと、該ケースを腕に装着自在とする腕装着手段を備えて構成することも可能である。
【０００８】
入切操作手段では、照明器具等の入り切りが操作される。人感知センサは、人の存在を感知可能である。人感知センサは例えばアダプタ等に配設されてもよいが、アダプタ等から分離されるようにしてもよい。
【０００９】
制御手段では、人感知センサによる人の存在感知信号を基に入り操作を行う。なお、人感知センサで人の存在を感知しなくなったとき、切り操作を行うが、タイマー設定時間経過した後に切り操作を行うようにしてもよい。
このことにより、照明の点灯、消灯操作が自動で行える。従って、消し忘れを防止出来、省電力である。
【００１０】
人異常判断手段は、人感知センサで人の存在が感知され、かつこの人の存在感知開始後所定時間経過しても人感知センサによる検出信号の変動のないとき人の異常と判断する。人が存在すれば必ず部屋等の間を移動する。この状態を人感知センサによる検出信号の変動で検出する。人の存在感知開始後、所定時間経過しても検出信号の変動を確認出来ない場合には人の異常と判断する。
【００１１】
人異常判断手段で人の異常と判断されたとき、又はこの判断に伴いされる所定の案内に対し応答の無かったとき、この人の異常の報知、この人の異常の所定の相手先への連絡及びこの相手先との会話のいずれか少なくとも一つを可能とする。人の異常の報知は、電子メール等でも可能である。
以上により、人が倒れている等の状況を把握出来、相手先に知らせることが出来る。このため、人は安心して日常生活を送れる。
【００１２】
入切操作手段、制御手段及び人異常判断手段及び／又は人異常連絡手段及び／又は人感知センサは一体化して構成したので、取り付けが簡単で、場所も取らず、かつ安価である。
【００１３】
人が外出中か在宅中かを操作可能である。この操作は現場におけるボタン操作で行ってもよいし、電話、インターネット、電子メール等による遠隔操作で行ってもよい。不法侵入判断手段では、操作手段による操作により外出中が選択され、かつ人感知センサによる検出信号の変動があったとき不法侵入と判断する。
不法侵入判断手段で不法侵入と判断されたとき所定の相手先に報知する。
【００１４】
以上により、不法侵入を素早く検出し、報知出来るので安全である。入切操作手段、制御手段及び不法侵入判断手段及び／又は通信手段及び／又は人感知センサは一体化して構成したので、取り付けが簡単で、場所も取らず、かつ安価である。
【００１５】
人異常連絡手段と人移動検出手段とが、一つのアダプタにて構成されてもよいし、人異常連絡手段と携帯端末装置とが、一つのユニット化されてもよい。また、人異常連絡手段、携帯端末装置、人移動検出手段とがそれぞれ独立して構成されてもよい。人異常連絡手段と人移動検出手段とが、一つのアダプタにて構成された場合で、携帯端末装置との間の信号交信が必要とされる場合には赤外線、超音波、電波等にて交信可能である。
【００１６】
人異常連絡手段と携帯端末装置とが、一つのユニットにて構成された場合における人移動検出手段との間の信号交信等も同様である。操作検出手段での携帯端末装置による操作が行われたことの検出は、携帯端末装置のキーが直接操作されたことを検出してもよいが、携帯端末装置がリモコン機能を有する場合に、このリモコン機能から出力される赤外線等により検出するようにしてもよい。
【００１７】
携帯端末装置は、携帯電話としての利用を可能としてもよい。この携帯端末装置には、人が緊急の場合に押すことで予め設定した相手先に連絡可能な緊急ボタンを配設することも可能である。
【００１８】
リモコンと携帯電話とを共通のボタンや制御回路にて構成可能であり、小型化できる。また、リモコンと携帯電話との利用頻度は共に高い。そして、この利用されている状況においては、人が正常状態にあると推定可能である。かかる利用状況を人の異常検出に適用した場合には、利用頻度の高い分検出精度は向上する。また、装着可能としたことで、常に身を守られているという安心感が生まれる。人が倒れた場所から連絡手段が遠くに存在するという恐れも極めて少なくなる。
【００１９】
操作方法も日常的に習熟可能であり、緊急時の対応も円滑に行える。常に身に付けられることで、耳の不自由なお年寄りや目の不自由な人にとっても確実に連絡が取れる。就寝中に身に付けても邪魔にならない。このため、人の緊急時に確実に連絡がとれる。腕に装着されているので、受話も聞きやすく、送話の際の感度もよい。
【発明の効果】
【００２０】
以上説明したように本発明によれば、照明の点灯、消灯操作が自動で行える。従って、消し忘れを防止出来、省電力である。リモコンによる高機能な操作が可能となる。また、人の異常状態、火災、不法侵入の通報等が行える。不法侵入者の姿や人の異常状態等を撮像できる。この撮像はプライバシーに配慮した形で可能である。ピッキング対策としても有効である。家庭内に存在する機器類や人の状態を確認したり、遠隔制御も可能となる。携帯端末装置は戸外でも利用可能である。携帯端末装置の利用頻度も向上する。利用頻度を向上させることで、人の異常状態判断の精度も向上する。装置の取り付けは簡単で、かつ安価で高機能である。既存の設備はそのまま生かせる。
【発明を実施するための最良の形態】
【００２１】
以下、本発明の実施形態について説明する。本発明の第１実施形態の側面断面図を図１に、また底面図を図２に示す。図１において、アダプタ５は２層構造となっており、アダプタ上層部５Ａとアダプタ下層部５Ｂで構成されている。アダプタ上層部５Ａの中央上部には、電球３の電極部３ａと形状及び電極構造を同じくする電極部７が突設されている。
【００２２】
そして、この電極部７は、ソケット１に螺入されることで装着自在なようになっている。このアダプタ上層部５Ａの下部中央には開口９が設けられている。そして、この開口９には、アダプタ下層部５Ｂの中央上部に突設された円筒部１１ａが貫通されている。円筒部１１ａの上端には、水平にかつ円盤状に折り返された折り返し片１１ｂが配設されている。
【００２３】
アダプタ下層部５Ｂは、折り返し片１１ｂ、開口９によりアダプタ上層部５Ａに対し３６０度程度回動可能なようになっている。円筒部１１ａの内側にはケーブルが通されている。アダプタ下層部５Ｂの側部には人の存在を感知するための人感知センサ１３が張出部材１４を介して配設されている。人感知センサ１３は、例えば焦電型赤外線センサである。
【００２４】
また、扉感知センサ１５の送光素子及び受光素子は、水平支軸１６回りに俯仰角を調整可能な角状筒部１７内に配設されている。角状筒部１７の電球３に対向する底面は、電球３からの光が入力し難いように上面より延長されている。扉感知センサ１５は例えば赤外線センサである。
【００２５】
角状筒部１７の下部中央にはフック２１ａが設けられ、このフック２１ａより角状筒部１７の外周回りに等距離隔てた位置にフック２１ｂ、２１ｃが設けられている。フック２１ｃは、フック２１ｂの図中裏側に相当する箇所に配置されている。フック２１ａ、２１ｂ、２１ｃには紐２３ａ、２３ｂ、２３ｃが掛けられている。
そして、この紐２３ａ、２３ｂ、２３ｃが張られたときには、紐２３ａが角状筒部１７の長手方向に平行となるようになっている。紐２３ａ、２３ｂ、２３ｃの端部にはリング２５が配設されている。
【００２６】
リング２５には、先端部にかぎ部２７ａのついた金掛具２７が掛け外し可能なようになっている。金掛具２７の基端部には紐掛部２７ｂが形成されており、この紐掛部２７ｂには紐２９が結ばれている。アダプタ下層部５Ｂの下部中央には、内側に電極部３１が形成された内部ソケット３３が配設されている。そして、この内部ソケット３３には、ソケット１より外された電球３の電極部３ａがねじ込まれることで電球３が装着可能なようになっている。
【００２７】
アダプタ下層部５Ｂには、電球３による熱の対流を円滑にするための風胴３４Ｂが設けられている。内部ソケット３３は、この風胴３４Ｂ内上部に水平に張り出された十字状のフレーム３６Ｂ及びこのフレーム３６Ｂの内側に固定された筒体３８Ｂにより、アダプタ下層部５Ｂの内側に固定されている。
アダプタ上層部５Ａ側にも同様に風胴３４Ａが設けられ、十字状のフレーム３６Ａ及びこのフレーム３６Ａの内側に固定された筒体３８Ａにより、アダプタ上層部５Ａの内側に固定されている。
【００２８】
風胴３４Ｂの下部周囲には傘４２が配設され、電球３の光が各センサに直接入力されないようになっている。アダプタ下層部５Ｂの側部には手動、自動を切り換えるプルスイッチ３７が設けられ、プルスイッチ３７は紐３９を引くことにより操作可能なようになっている。
そして、操作の結果は、アダプタ下層部５Ｂの側部に配設された窓部３２に、手動の場合は白、自動の場合は赤等として色分け表示されるようになっている。
【００２９】
本発明の第１実施形態の回路図を図３に示す。図３において、交流はソケット１を介して電極部７に給電される。そして、この交流は、自動、手動の切替えスイッチであるプルスイッチ３７を介して電球３に給電されるようになっている。
【００３０】
手動が選択された場合には、室内の壁に埋設された壁埋め込み型スイッチ４７より入切りの操作が可能であり、自動が選択された場合にはリレー５１により入り操作、リレー５２により切り操作可能なようになっている。また、リレー５２により、手動の場合にも電球３の消し忘れの際には、所定時間経過後に切り操作可能なようになっている。
【００３１】
なお、半自動と完全手動とを切替え可能な切替えスイッチ３８を設け、かかる消し忘れの際の自動切り操作の行われる場合を半自動モードとしてもよい。一方、完全手動の選択されている場合には、消し忘れの際の自動切り操作は行われず、壁埋め込み型スイッチ４７による入切りの操作のみが可能である。
【００３２】
なお、プルスイッチ３７、切替えスイッチ３８の選択如何によらず（プルスイッチ３７が手動で、かつ切替えスイッチ３８が完全手動の場合は除く）、後述するリモコンによりリレー５１、５２を操作し点灯、消灯が可能である。また、プルスイッチ３７及び切替えスイッチ３８を切替え可能なリレーを設け、リモコンによりモードの切替えを可能としてもよい。更に、インバータ機能を備え、電球３への供給電圧を調整可能とし、この調整をリモコンより操作可能としてもよい。
【００３３】
なお、プルスイッチ３７を紐３９による操作に代えて、切替えスイッチ３８と共にアダプタ５の側部にて設定可能とする。そして、改めてプルスイッチ及びこのプルスイッチに結ばれる紐を配設し、この紐を引くことでリレー５１による入り操作、リレー５２による切り操作を行えるようにしてもよい。このプルスイッチの操作は、自動モードや半自動モードに選択されている場合でも強制的に入り切りされる。
【００３４】
一方、交流はトランス５３を介してコンバータ５５で直流に変換されるようになっている。この直流分は、演算回路５４、人感知センサ１３及び扉感知センサ１５に給電される。人感知センサ１３及び扉感知センサ１５で感知された信号は、それぞれ演算回路５４に入力されるようになっている。演算回路５４で演算された結果によりリレー５１及びリレー５２が駆動されるようになっている。
【００３５】
次に、本発明の第１実施形態の動作を説明する。
アダプタ５は、既存の電球３をソケット１より一旦外し、この電球３の代わりにアダプタ５の電極部７をソケット１にねじ込むことで装着する。その後、アダプタ５の内部ソケット３３に対し外された電球３をねじ込む。リング２５には金掛具２７のかぎ部２７ａを予め掛けておく。
【００３６】
一方、図４に示すように、扉４１には赤外線を反射可能なリフレクタ４３を適所に張り付ける。なお、このリフレクタ４３は、図５、図６に例示するように、リフレクタ４３の面が扉感知センサ１５に向かうように、糊着面４５より任意角度傾斜可能なアングル部材４９Ａ、４９Ｂに張り付けられてもよい。但し、リフレクタ４３によらず、赤外線センサを使用した対向式の人体検出器やドップラーソナーを用いてもよい。
【００３７】
リフレクタ４３まで紐２９を引っぱることで支軸１６回りに角状筒部１７を俯仰させ、扉感知センサ１５がリフレクタ４３に直接向かうように設定することが出来る。俯仰角を設定後にはリング２５より金掛具２７を外す。
このとき、リング２５は図１の点線で示すように垂下される。このため、再び角状筒部１７の俯仰角の調整が必要になった場合には、金掛具２７を持ち、先端部のかぎ２７ａをリング２５に掛けることで簡単に俯仰角の再設定が可能である。
【００３８】
なお、金掛具２７、リング２５、フック２１等は、扉感知センサ１５の指向性如何により設定俯仰角が粗くても十分動作可能な場合には不要である。また、張出部材１４は電球３の照度等との関係如何では不要である。更に、アダプタ５は、電極部７及び内部ソケット３３を中心とした電源系統部分を制御部分を内蔵するアダプタ５本体とは分離し、別体にて構成されてもよい（図示略）。
以上により、アダプタ５の取り付け及び扉感知センサ１５等の設定は簡単に行える。また、特別な配線工事は不要である。更に、リモコン操作も可能となり、お年寄りにとっては寝た状態であっても電球３の操作が簡単に行える。
【００３９】
次に図７のフローチャートを基に自動照明点滅動作の説明をする。
ステップ１（図中Ｓ１と略す。以下同旨）では、自動モードか手動モードかを、紐３９を引きプルスイッチ３７を操作することで選択する。ステップ１で手動モードが選択された場合には、壁埋め込み型スイッチ４７により電球３の入り切りが可能である。
【００４０】
ステップ１で自動モードが選択された場合には、ステップ３で室内の明るさが設定値以下か否か判断される。室内の明るさが図示しない光電素子により検出され、電圧出力される。この電圧値を設定値と比較し、設定値以下か否か判断する。設定値以下のとき室内は暗いと判断され、ステップ５に進む。
【００４１】
ステップ５では、人感知センサ１３により室内に人が存在するか否か判断する。人が存在すれば熱が発生されるので、この熱を人感知センサ１３で感知する。そして、人感知センサ１３からの出力電圧を設定電圧値と比較し、設定電圧値以上のとき人が存在すると判断し、設定電圧値未満のとき人が存在しないと判断する。
【００４２】
但し、ステップ３及びステップ５は、光電素子を別途配設することなく処理が可能である。例えば人感知センサ１３に焦電センサを用い、背景と人からの赤外線量を比較するようにすれば、背景の明るい内は動作しないように出来る。この場合、背景が暗くなることで焦電センサが機能し、かつ人から感知される熱量が設定電圧値未満となったとき人が存在しないと判断する。
【００４３】
扉感知センサ１５の送光素子から出力された光はリフレクタ４３で反射され、受光素子に入力される。ステップ７で扉４１が開かれると扉感知センサ１５の受光素子に入力される光量が減り、出力電圧が低下する。この電圧を設定電圧値と比較し、設定電圧値未満になったとき扉４１が開かれたと判断する。そして、ステップ９でリレー５１をＯＮして電球３を点灯する。
【００４４】
一方、扉４１がもともと閉じられていない場合には、ステップ１１で人感知センサ１３により人の存在が検知された場合にステップ９で電球３を点灯する。その後、ステップ１３で人の存在が検知され続ける限り電球３の点灯状態を継続する。
人の存在が検知されなくなったとき、タイマー設定された時間経過後にステップ１５でリレー５２をＯＮして電球３を消灯する。タイマー設定はユーザにより部屋の用途やユーザの好み等に応じ自由に調節可能である。
【００４５】
また、ステップ１で手動モードが選択された場合でも、ステップ１３で人の存在検知を行い、人の存在が検知されなくなったとき、タイマー設定された時間経過後にステップ１５でリレー５２をＯＮして電球３を消灯する。
更に、この消灯の方法として、電球３をただ単に消灯する以外に、例えば、後述するように、電球３の制御としてアダプタ５内にインバータ制御を採用し照度の調節を可能としたような場合には、タイマー時間経過後に照度を下げ、暗くすることも可能である。
【００４６】
そして、更なるタイマー時間経過後に完全に消灯する。または、後述するように、電球３が複数本配設されているような場合には、タイマー時間経過後に本数を制限するようにしてもよい。そして、更なるタイマー時間経過後に完全に消灯する。
なお、人感知センサ１３が光による影響を受ける場合には、人感知センサ１３部分は取り外し可能として、延長ケーブルにより光量の少ない光による影響の少ない箇所に設置可能なようにしてもよい。
【００４７】
この場合、例えば壁等に人感知センサ１３の内蔵されたユニットを配置し、所定高さ以上に指向性を設定すれば、人感知センサ１３が人以外の犬、猫等の動物に対して感知するのを防止出来る。アダプタ５の下部周囲には、電球３を収納可能なグローブが取り付けられるようにしてもよい。
【００４８】
また、人感知センサ１３は、張出部材１４に対し俯仰角度・水平角度が調節可能とされてもよい。
更に、扉感知センサ１５に代えて、アダプタ５より延長コードを介して扉４１にリミットスイッチ、振動スイッチ、磁石による磁界変化検出型スイッチ等を配設するようにしてもよい。
以上により、暗い室内に人が入るとき、扉４１を少し開けるだけで電球３が点灯され室内が明るくなる。このため、明るい部屋に入ることが出来る。また、扉４１が開放状態のままのときは人が暗い室内に人った時点で点灯される。
【００４９】
但し、人感知センサ１３の指向性を広くとり、扉４１まで届くように設定しておけば人が暗い室内に人る直前に点灯することも可能である。室内より人がいなくなったとき、所定時間後に室内は消灯される。特にトイレ等の電灯の消し忘れに有効である。このため、省電力である。
【００５０】
また、廊下や階段等の通路であって、扉とは無関係に人の検知によってのみ照明を入切り操作したい場合には、アダプタ５に角状筒部１７は不要であり、人感知センサ１３のみを配設する。
【００５１】
なお、電球３による光の影響を考慮して角状筒部１７を配設した。しかしながら、扉感知センサ１５の受光素子に対し、発光と同一の周波数の赤外線を通過させる光学フィルタを設置すれば、角状筒部１７を例えば傘４２の内側に配設することもできる。
【００５２】
また、扉感知センサ１５の送光素子からパルスを送信するようにしたり、例えばＭ系列信号等の符号を送信するようにしてもよい。Ｍ系列信号は、２値（０と１、１と−１等）をとる２Ｐ−１（Ｐは適当な正整数）を周期とする２進疑似乱数列である。受信した信号をメモリに保存し、この受信信号を送信信号との間で相関をとる。
【００５３】
そして、相関の結果に従い、出力された波形を設定値と比較し、設定値以下になったときに扉４１が開かれたことを判断する。
以上により、電球３による光の影響を受けても扉４１の感知精度を確保することができる。
【００５４】
次に、本発明の第２実施形態について説明する。本発明の第２実施形態の側面断面図を図８に示す。なお、図１と同一要素のものについては同一符号を付して説明は省略する。ロック式シーリングプラグのボディ９１には、もともと天井吊り下げ型照明器具９０の角型引掛シーリングプラグ９３が掛止されていたものである。
【００５５】
アダプタ上層部１０５Ａの上部には、ボディ９１に対し掛止可能なように掛止電極部９５が設けられている。アダプタ上層部１０５Ａの下部には、アダプタ下層部１０５Ｂが、折り返し片１１ｂ、開口９によりアダプタ上層部１０５Ａに対し３６０度程度回動可能なようになっている。
【００５６】
アダプタ下層部１０５Ｂの底部には、角型引掛シーリングプラグ９３が掛止可能なように掛止電極受部９７が配設されている。アダプタ上層部１０５Ａの周端上部と天井間には化粧部材９９が包囲されている。
【００５７】
かかる構成において、天井吊り下げ型照明器具９０でもアダプタ１０５の取り付け及び各センサの設定が容易に行える。なお、アダプタ１０５は、天井吊り下げ型照明器具９０の傘及び照明回路部と一体化して構成することも可能である。
【００５８】
次に、本発明の第３実施形態について説明する。
本発明の第３実施形態は壁埋め込み型スイッチに関するものである。図９において、壁埋め込み型化粧パネル６１には、自動モード、手動モードを切り換えるスイッチ６３及び室内照明を入り切り操作するスイッチ６５が配設されている。
【００５９】
壁埋め込み型化粧パネル６１の下部にはトランス収納部６１Ａが配設されている。また、壁埋め込み型化粧パネル６１には、開口６６、６７が設けられており、人感知センサ６９は開口６６内を左右に旋回自在なようになっている。扉感知センサ７１の内蔵された筒部７３は開口６７内を所定角度旋回自在なようになっている。
【００６０】
フック７５ａ、７５ｂ、７５ｃには紐７７ａ、７７ｂ、７７ｃが掛けられている。紐７７ａ、７７ｂ、７７ｃの端部にはリング７９が配設されている。そして、この紐７７ａ、７７ｂ、７７ｃが張られたときには、リング７９がセンサ面の垂直上方に位置するようになっている。リング７９には、先端部にかぎ８１ａのついた金掛具８１が掛け外し可能なようになっている。
【００６１】
金掛具８１の基端部には紐掛部８１ｂが形成されており、この紐掛部８１ｂには紐８３が結ばれている。リフレクタ４３まで紐８３を引っぱることで筒部７３を旋回させ、扉感知センサ７１がリフレクタ４３に直接向かうように設定することが出来る。旋回角を設定後にはリング７９より金掛具８１を外す。
【００６２】
このとき、リング７９は図６の点線で示すように垂下される。なお、人感知センサ６９及び筒部７３の突設部分を設定後に保護するため透明な蓋を被せるようにしてもよい。
【００６３】
かかる構成において、スイッチ６３で自動モードが選択されたとき、図７のフローチャートに沿って照明器具の点滅操作が行われる。一方、手動モードが選択されたとき、スイッチ６５により室内照明を入り切り操作可能である。人感知センサ６９は水平に指向性を広く有するようにする。
【００６４】
このため、１つのセンサでは指向性が狭い場合には例えば３個を水平方向に指向性中心角度を異ならせるように並べて配置する。特に下方向の指向性が抑制されるように、遮蔽物をセンサ光源入力下部に配設等するのが望ましい。
このことにより、人以外の犬、猫等の動物に対して不感知とすることが出来る。金掛具８１、リング７９、フック７５等は、扉感知センサ７１の指向性如何により設定旋回角が粗くても十分動作可能な場合には不要である。
【００６５】
また、壁埋め込み型化粧パネル６１自体を壁面より突設させた場合には、図９のように壁埋め込み型化粧パネル６１の表面ではなく、側面に扉感知センサ７１及び人感知センサ６９の内のいずれか少なくとも一方を配設することも可能である。
更に、扉感知センサ７１及び人感知センサ６９は感度を良くするため旋回可能としたが、感度を犠牲としても動作可能であれば予め所定の向きに固定とされてもよい。
【００６６】
なお、扉感知センサ７１及び人感知センサ６９の配設位置は、開口６６、６７及び人感知センサ６９、筒部７３の大きさ、形状を統一し、左右いずれの方向にも対処可能なように回動自在の基板に対し人感知センサ６９、筒部７３を部品として着脱自在としてもよい。
【００６７】
基板と人感知センサ６９、筒部７３には、それぞれ電極端子、制御端子を配設し、それぞれの電極端子、制御端子同士が部品としての人感知センサ６９、筒部７３の装着時に当接されるようにする。但し、この場合には扉感知センサ７１及び人感知センサ６９の制御線の切替えスイッチを別途設ける必要がある。
【００６８】
しかしながら、基板側の制御端子には予め扉感知センサ７１及び人感知センサ６９用に２端子配設しておき、人感知センサ６９、筒部７３側でいずれか一方の端子のみと当接するようにすれば切替えスイッチは不要となる。また、壁埋め込み型化粧パネル６１自体を上下逆に取り付けることで左右の位置を設定するようにしてもよい。
【００６９】
また、廊下や階段等の通路であって、扉とは無関係に人の検知によってのみ照明を入切り操作したい場合には、壁埋め込み型化粧パネル６１に筒部７３は不要であり、人感知センサ６９のみを配設する。
なお、人が寝室において就寝する場合等は、スイッチ６３を手動に切替えスイッチ６５を入り切り操作する。
【００７０】
次に、本発明の第４実施形態について説明する。
本発明の第４実施形態は壁取り付け型スイッチに関するものである。図１０に示すように壁取り付け型スイッチは、電源タップと兼用することも可能である。なお、図９と同一要素のものについては同一符号を付して説明は省略する。
【００７１】
パネル１１１は壁等に取り付け可能であり、電源プラグ１１３により他のコンセントから給電される。コンセント１１５にはスタンド１１７の他、ラジオ等も接続可能である。そして、人が不在となったとき不要となったこれらの電源を切ることが可能であり、また人が感知されたとき再び電源の投入が可能である。従って、省電力である。
【００７２】
なお、図１０において、電源プラグ１１３及びこの電源プラグ１１３に続くケーブルを省略し、パネル１１１の背面に電極端子を突設し、コンセントに対し直接この電極端子を差し込み自在としてもよい。また、この電極端子は、可動端子としてパネル１１１内に収納自在としてもよい。
【００７３】
次に、本発明の第５実施形態について説明する。
本発明の第５実施形態は、第１〜第４実施形態を基に人の移動を検知し、静止状態が継続する場合には人身の異常を検出、報告等するものである。
本発明の第５実施形態の回路構成図を図１１に示す。図１１において、人感知センサ１３及び扉感知センサ１５で検出された信号はそれぞれ演算回路５４でパルス信号化され、変調器１２１により搬送波で変調され、電源ラインに乗せられるようになっている（スペクトル拡散通信）。
【００７４】
パルス信号は、図示しないダイヤルスイッチの切替えにより、各機器毎にパルス幅を異ならせることが可能である。また、パルス信号は符号化するようにしてもよい。
電源ラインに乗せられたパルス信号は、コンセント１２２を介して変換器１２０に伝えれる。変換器１２０は、持ち運び可能であり、コンセント接続により室内の何処でも使用可能である。
【００７５】
そして、変換器１２０のフィルタ１２３で交流と分離される。その後、復調器１２５で搬送波が除去され、パルス整形器１２７でパルス整形される。このパルス信号は演算部１２９に入力されるようになっている。
なお、アダプタ５についての回路構成を例に説明したが、他の機器であるアダプタ１０５、壁埋め込み型化粧パネル６１、パネル１１１等でも同様である。
【００７６】
かかる構成において、人感知センサ１３で人が検出されたとき演算回路５４より人感知ＯＮ信号が発せられる。その後人が検出されなくなったとき人感知ＯＦＦ信号が発せられる。また、扉感知センサ１５で扉４１が開になったとき演算回路５４より扉感知ＯＮ信号が発せられる。
【００７７】
扉４１が閉になったとき扉感知ＯＦＦ信号が発せられる。かかるパルス信号は昼夜を問わず発せられる必要がある。このため、室内の明るさや背景とは無関係に人が検出された場合、扉の開閉時にパルス出力されるものとする。このため、出来るだけ室内の明るさの低い位置にセンサを配置するのが望ましい。
【００７８】
また、センサ出力は背景と比較しないものとする。検出されたパルス信号は、それぞれ電源ラインに乗せられ搬送される。その後、復調されたパルス信号は演算部１２９に入力される。なお、パルス信号はまた、手動、自動モードにかかわらず発せられる。
【００７９】
人感知センサ１３で人が検知され、人感知ＯＮ信号が発せられた後、所定時間を経過しても、人感知ＯＦＦ信号が発せられないとき、又は人感知ＯＮ信号が発せられた後、所定時間を経過しても、その後いずれの機器からも何らのパルス信号も演算部１２９に入力されないとき、演算部１２９では人が倒れている等の異常状態と推定する。
【００８０】
この場合、まずスピーカ１２８より、「大丈夫ですか。部屋を移動出来ますか。」等の移動を促す音声案内を行い、その後も演算部１２９で何らのパルス信号も受信しないとき緊急状態と判断する。
【００８１】
演算部１２９で緊急状態と判断されたとき、電話機１３７がダイヤル自動接続回路１３５により予め設定した電話番号に接続される。その後、音声ＩＣにより相手先に人の異常が伝えられる。
【００８２】
電話機１３７は、各室内の移動性を考慮して携帯電話が望ましい。そして、この電話機１３７は変換器１２０と一体構成されている。また、電話機１３７はモデムを介して他の電話機と通信回線を共有出来るようにしてもよい。
なお、人感知センサ１３又は扉感知センサ１５を利用して、別途配設されるリモコンから送信される赤外線を受信可能としてもよい。
【００８３】
但し、リモコンからの信号の受信のために独立したセンサを配設するようにしてもよい。この場合には、受信される信号が電波や超音波、赤外線等でも可能である。人感知センサ１３や別途配設するセンサ等により受信された信号は、演算回路５４に入力されるようになっている。そして、演算回路５４で演算された結果によりリレー５１及びリレー５２が駆動されるようになっている。
【００８４】
リモコンは、電球３を制御すると共にテレビ、ラジオ、ビデオ、カセットデッキ、エアコン、健康機器等の制御も兼用することが可能である。ＯＮ、ＯＦＦのみならず、音量や光度等の調節が可能なボリュームを備えてもよい。リモコンを複数の制御対象機器で兼用する場合には、各制御対象機器毎にＩＤコードを割り付けて制御信号と共に送信する。受信の際には、このＩＤコードを判断することで各制御対象機器を区別可能である。従って、例えば、電球３の制御に対し独自のＩＤコードを割り付ければ電球３のみを制御可能である。
【００８５】
リモコンのスイッチ類が操作されている状況では人は異常状態にはないと判断できる。リモコンによる制御が可能なすべての対象機器についての信号を受信可能としたことで、いずれかの機器の制御が行われた場合に人の安全を確認できる。人の安全の確認に際しては、いずれの制御対象機器に対する信号かを区別する必要はなく、リモコンからいずれかの制御信号を受信したことを確認するだけで人が安全であると判断する。
【００８６】
従って、リモコンは、使用されている信号が赤外線等で共通してさえいれば、電球３の制御用リモコンとは別個に配設されたリモコンであっても適用可能である。また、「大丈夫ですか。」等の音声案内に対してリモコンを操作することでも応答可能である。
【００８７】
信号は、リモコンの指向性が広い場合等には制御対象機器に向けた方向以外であっても十分受信可能である。また、リモコンの指向性が狭い場合には広くすることが望ましい。
このように、リモコンのスイッチ類が操作されている場合を人感知センサによる人の感知に加えることで、人保護の精度を一層向上させることができる。
【００８８】
また、各機器単位で緊急状態を推定するようにしてもよい。図１２に回路構成図を示す。図１２において、演算回路５４から出力された音声信号は、スピーカ５６より出力されるようになっている。この場合には次のように行う。
【００８９】
人感知センサ１３により演算回路５４で人が検知された後、所定時間を経過しても、その後人の検知が解除されず、かつこの所定時間内に扉の開閉感知がされないとき、人が倒れている等の緊急状態と推定し、演算回路５４より緊急信号を発するようにしてもよい。なお、この場合には、各機器より同一仕様の緊急信号のみが発せられることとなるためダイヤルスイッチは不要である。
【００９０】
例えば、人が入浴中の場合について説明する。所定時間は予めタイマー設定可能とする。このタイマー設定を３０分としたとき、人感知センサ１３により人が検知された後、３０分を経過しても、その後人の検知が解除されず、かつ扉の開閉感知がされないとき、「大丈夫ですか。リフレクタに手をかざしてみて下さい。」の案内をスピーカ５６より流す。人が体調に異常の無いとき、リフレクタ４３に手をかざすことで、扉感知センサ１５への赤外線の受光量が減る。
【００９１】
演算回路５４では、この受光量の変化を扉の開としてとらえ、人が正常であると判断する。人に体調の異常があり、リフレクタ４３に手をかざすことが出来ない場合には、受光量の変化を検出出来ない。この際には、人が倒れている等の緊急状態と推定し、演算回路５４より緊急信号を発する。同時にスピーカ５６より電子警告音を発する。
【００９２】
このことにより、風呂場以外にいる他の人に緊急状態を報知することが出来る。扉感知センサ１５への赤外線の受光量の変化検出の後も３０分毎にかかる処理を繰り返す。しかしながら、次の問い合わせは、時間を短縮して問い合わせるようにしてもよい。また、緊急信号を解除するにはリフレクタ４３に手をかざすか、扉を開するか、又は人の退出により解除可能である。
なお、風呂場にアダプタ５等を配設する場合には、アダプタ５等を防水構造とするのが望ましい。
【００９３】
以上により、電球を交換する程度の簡単な作業でアダプタ５等を配設出来る。そして、自動照明点滅動作により照明の消し忘れ等に対処可能であり、また、人の異常状態に対し注意を喚起したり、その状態を他人に報知することが出来る。なお、風呂場の他、各室内やトイレ等の場合もタイマー設定を異ならせるだけで上述と同様に適用可能である。
【００９４】
また、鋭角な指向性を有する人感知センサ１３を感知エリアを重複若しくは異ならせるように複数個配置することで人の動きを感知可能なようにしてもよい。この場合には、人の動きが止まってから所定時間経過したときリフレクタ４３に手をかざすように音声案内を行い、それでも継続して静止状態が続き、扉が開閉されない場合には人が倒れている等の緊急状態と判断する。
【００９５】
なお、電源ラインの引き込み口付近には、搬送波等が外部に漏れるのを防止するためフィルタ１３１が配設されるのが望ましい。
また、パルス信号は電源ラインに乗せるのではなく、各機器側よりパルス信号を変調した後電波で送信し、変換器１２０側で受信後復調するようにしてもよい。
【００９６】
図１３には、複数台の機器（アダプタ５以外は図中省略）で検出された緊急状態を変換器１２０に伝え、電話機１３７により送信する場合の構成図を示す。
この場合には、各機器で検出された緊急信号が演算回路５４でパルス信号化され、変調器１２１により搬送波で変調され、電源ラインに乗せられる。そして、変換器１２０のフィルタ１２３で交流と分離された後、このパルス信号は演算部１２９に入力される。その後、電話機１３７を介して音声ＩＣにより相手先に人の異常が伝えられる。
【００９７】
なお、設備導入当初はアダプタ５のみを設置し、その後、必要に応じて他の機器を増設したり、変換器１２０を配設することも可能である。この場合の設置は増設分のみに対し簡単に行える。既存設備の改造工事は不要である。
【００９８】
次に、本発明の第６実施形態について説明する。
本発明の第６実施形態は、図１４に示すように、人感知センサ１３及び緊急ボタン１３３をボックス１３０に配設したものである。ボックス１３０は、アダプタ５からケーブルで延長され、壁等に取り付け可能である。
【００９９】
かかる構成において、緊急ボタン１３３を押すことで、演算回路５４に緊急信号として入力される。その後は、パルス信号として電源ラインに乗せられ、復調された後、演算部１２９に入力される。
【０１００】
そして、電話機１３７で人の異常が相手先に伝えられる。但し、変調器１２１や変換器１２０によらず、アダプタ５のスピーカ５６より電子警告音を発するようにしてもよい。この場合、他の同居人がいる場合に風呂場やトイレ等に設置すると効果的である。また、変換器１２０等の不要な分安価に構成出来る。
以上により、人の体調異常時に速やかな対応が行える。
【０１０１】
次に、本発明の第７実施形態について説明する。
本発明の第７実施形態は、不法侵入者を検知し、報知するものである。以下、アダプタ５を例に説明するが、他の機器でも同様である。
図１５に示すように、アダプタ５には、演算回路５４と接続される外部端子１４１が配設されている。この外部端子１４１には、外部ケーブル１４２を介して屋外の外壁等に取り付けられた外部端子ボックス１４３の外出中スイッチ１４５が接続されている。
【０１０２】
かかる構成において、人が外出時に外出中スイッチ１４５を入り操作すれば、演算回路５４より所定の外出中パルスが発せられる。外出中スイッチ１４５は、テンキー等の組み合わせにより暗証番号を入力可能なようにしてもよい。そして、この暗証番号が予め演算回路５４に登録された番号と一致しているときに、演算回路５４より所定の外出中パルスが発せられる。演算部１２９では、この外出中パルスが検知されたとき、不法侵入警戒モードが開始され、その後に扉感知センサ及び人感知センサからのパルス信号を受信したとき不法侵入であると推定する。
【０１０３】
そして、電話機１３７がダイヤル自動接続回路１３５により予め設定した電話番号に接続される。その後、音声ＩＣにより相手先に不法侵入である旨が伝えられる。
人が家に戻ったときには外出中スイッチ１４５を解除する。このとき、演算回路５４より所定の在宅パルスが発せられる。この在宅パルスは、演算部１２９に伝えられ、不法侵入警戒モードが解除される。
【０１０４】
なお、外部ケーブル１４２が切断されたりした場合を考慮し、外出中スイッチ１４５に並列に抵抗を配設し、わずかの電流を常時ながしておく。この電流が検出されなくなったとき、異常と判断し報知するようにしてもよい。
外部端子ボックス１４３は、目立たない場所に取り付けることが望ましいが、このため、外部端子ボックス１４３に距離的に最も近い機器の外部端子１４１に外部ケーブル１４２を接続可能である。
【０１０５】
また、変換器１２０に外出中スイッチ１４５を接続し、所定の外出中パルスを直接演算部１２９に入力するようにしてもよい。
なお、外出先のプッシュ電話や携帯電話からこの不法侵入警戒モードを設定可能である。この場合には、電話機１３７に接続後、音声案内がされている間に予め設定した暗証番号を入力する。この暗証番号は、周波数分析され、番号等が認識される。暗証番号が一致したときには、現在のモードを案内する。
【０１０６】
このとき、例えば、不法侵入警戒モードに変更するための番号（例えば１）を入力することで不法侵入警戒モードが選択される。その後、不法侵入警戒モードが選択されたことを音声案内する。一方、不法侵入警戒モードを解除する場合には例えば０を入力する。
【０１０７】
以上により、不法侵入のされている旨を確認できる。なお、不法侵入者が侵入しようとする際には突然照明等が点灯する。このため、被害無く退散する可能性が非常に大きい。また、家人が寝室で就寝中に、不法侵入者が寝室以外の他の部屋に入った場合にも照明等が点灯するため、不法侵入者は退散する可能性が非常に大きい。照明等の点灯と共にアダプタ５等に配設されたスピーカ５６により警告音を鳴らしたり、音声ＩＣにより音声で警告を行うようにしてもよい。
【０１０８】
更に、カメラを配置し、不法侵入のされた部屋を照明等の点灯と同時に撮像するようにしてもよい。この際には、アダプタ５、１０５、壁埋め込み型化粧パネル６１、パネル１１１、ボックス１３０等又は変換器１２０より不法侵入の旨の信号を出力し、この信号に基づきカメラを操作するのが望ましい。カメラは、このアダプタ５、１０５、壁埋め込み型化粧パネル６１、パネル１１１、ボックス１３０等又は変換器１２０等に配設するのが望ましい。
【０１０９】
撮像された映像は、メモリに保存されてもよいが、ダイヤル自動接続回路１３５に電子メール機能を備え、このダイヤル自動接続回路１３５を介して電子メールに添付して所定の送信先に自動送信してもよい。また、動画情報を送信するようにしてもよい。アダプタ５等から不法侵入の旨の信号を出力するためには、後述の図１７の緊急信号１６５を用いて操作することが可能である。
【０１１０】
次に、本発明の第８実施形態について説明する。
本発明の第８実施形態は、火災やガス漏れを検知し、報知するものである。図１６において、煙感知センサ１５１が天井に取り付けられる機器であるアダプタ５、１０５に配設されている。
【０１１１】
煙感知センサ１５１で検出された信号は演算回路５４に入力されるようになっている。スピーカ１５３が、アダプタ５、１０５に設けられており、このスピーカ１５３は演算回路５４と接続されている。但し、ボックス１３０が配けられる場合には、このボックス１３０内にスピーカ１５３を配設するのが望ましい。
【０１１２】
かかる構成において、煙感知センサ１５１により煙が感知された場合には、演算回路５４でパルス信号が送出される。そして、スピーカ１５３より火災である旨の案内や警報等が音声ＩＣより出される。パルス信号は、図示しないダイヤルスイッチの切替えにより機器毎にパルス幅を異ならせることが可能である。
【０１１３】
また、パルス信号は符号化するようにしてもよい。パルス信号は演算部１２９に伝えられる。この際にはどの機器から送信されたパルス信号であるか認識出来る。演算部１２９の音声ＩＣには、機器毎に対応させて、例えば「台所が火事です」「寝室が火事です」「居間が火事です」等の予め用意した言葉を割り付ける。
【０１１４】
そして、スピーカ１２８よりこの案内をすると共に電話機１３７をダイヤル自動接続回路１３５により予め設定した電話番号に接続する。その後、音声ＩＣにより相手先に「寝室が火事です」等の案内が伝えられる。
誤報の場合には変換器１２０及びボックス１３０の図示しないリセットボタンを押す。リセット信号は演算回路５４、演算部１２９に伝えられ火災信号の解除が行われる。
【０１１５】
以上により、どこで火事が生じたのか具体的に判断出来、逃げ口の選択や消火活動を素早く行うことが出来る。また、回路や煙感知センサ１５１に供給する電源等は、独立したものを用意する必要が無く、その分簡素に構成出来、安価である。
なお、ガス検知器についても同様に構成可能である。
【０１１６】
次に、本発明の第９実施形態について説明する。
本発明の第９実施形態は、電話機１３７がダイヤル自動接続回路１３５により予め設定した電話番号に接続された後、相手先と会話することが出来るようにするものである。
【０１１７】
図１７に本発明の第９実施形態の回路構成図を示す。なお、図１１〜図１６と同一要素のものについては同一符号を付して説明は省略する。図１７において、演算回路５４で出力されたパルス信号は、切換回路１５５を介して変調器１２１で変調され、電源ラインに乗せられる。変換器１２０の復調器１２５で復調された後、信号判別器１７１でパルス信号と判断された信号は、演算部１２９に伝えられる。
【０１１８】
演算部１２９で人異常の推定がされたとき、「大丈夫ですか。部屋を移動出来ますか。」等の移動を促す音声案内が音声ＩＣより切換回路１６９を介してスピーカ１２８から発せられる。同時に、この音声信号は変調器１５７を介して電源ラインに乗せられる。そして、アダプタ５のフィルタ１５９、復調器１６１を介してスピーカ１５３より同じ音声案内がされる。
【０１１９】
この音声案内の後、何らのパルス信号の変化がないとき、演算部１２９で人の異常と判断され電話機１３７がダイヤル自動接続回路１３５により予め設定した電話番号に接続される。この際には、人異常信号が変調器１５７を介して電源ラインに乗せられる。
【０１２０】
そして、アダプタ５のフィルタ１５９、復調器１６１を介して信号判別器１６３で人異常の緊急信号１６５が判定される。この緊急信号１６５により、切換回路１５５はマイク１６７からの音声信号を通すように切り換えられる。なお、マイク１６７は、人感知センサ１３、スピーカ１５３及び緊急ボタン１３３と同様にボックス１３０に配設されるのが望ましい。
【０１２１】
その後、「人に異常があります。」の案内が電話機１３７を通じて相手先に伝えられる。スピーカ１２８及びスピーカ１５３からも同じ案内がされる。所定回数の案内の後、切換回路１６９は電話機１３７と変調器１５７を接続する。
【０１２２】
これにより、電話機１３７で相手先より受けた話は変調器１５７、復調器１６１を介してスピーカ１５３から聞こえる。一方、マイク１６７で抽出された音声は切換回路１５５、変調器１２１、復調器１２５、音声増幅器１７３、電話機１３７を介して相手先に伝えられる。
【０１２３】
また、人が緊急ボタン１３３を押した場合には、この信号が演算部１２９で判断され、電話機１３７で人の異常が相手先に伝えられる。その後、切換回路１５５、１６９が切り換えられるのは前述と同様である。
更に、変調器１５７、復調器１６１を介して火災信号やガス漏れ信号をすべてのアダプタ５等に供給することにより、すべてのスピーカ５６、１２８、１５３等で警報を鳴らすことができる。
【０１２４】
以上により、相手先からの問い合わせに答えることが出来る。なお、信号判別器１６３で人異常の緊急信号１６５が判定された場合には、各アダプタ５の演算回路５４でリレー５１を入り操作し、すべての電球３を点灯するのが望ましい。但し、かかる電球３の点灯は、室内の明るさが設定値以下のときに行うようにしてもよい。すべての電球３を点灯することで安全が確保され、かつ駆けつけた緊急員にとっても緊急状態であることが戸外からも認識できる。同居の人がいる場合には、設定により緊急信号１６５を基にスピーカ１２８及びスピーカ１５３から緊急音を発するようにしてもよい。
【０１２５】
また、緊急状態の判断や音声案内が、各機器毎にされる場合には、変換器１２０側から各機器に対し音声案内等は行われない。この際には、信号判別器１６３は不要である。
【０１２６】
次に、本発明の第１０実施形態について説明する。
本発明の第１０実施形態は、アダプタ５を取り付け、電話線をモジュラージャックに接続するだけで簡単に電球３の制御の他に、人の異常状態、火災、不法侵入の通報等を可能とするものである。
【０１２７】
本発明の第１０実施形態の回路構成図を図１８に示す。図１８では、簡単のためアダプタ５についての回路構成を例に説明するが、他の機器であるアダプタ１０５、壁埋め込み型化粧パネル６１、パネル１１１等でも同様である。また、前述のようにボックス１３０、外部端子ボックス１４３、煙感知センサ１５１等を配設した場合にも同様に適用可能である。
【０１２８】
図１８において、アダプタ５にはダイヤル自動接続回路１３５が内蔵されている。そして、ダイヤル自動接続回路１３５に接続された電話線１８１のモジュラープラグは、モジュラージャック分岐器１８３に接続され、このモジュラージャック分岐器１８３を介して公衆回線に接続されている。ダイヤル自動接続回路１３５には、演算回路５４からパルス信号が送出されるようになっている。
【０１２９】
モジュラージャック分岐器１８３には、他の電話機１８５の電話線のモジュラープラグや、本発明の第１０実施形態と同様にダイヤル自動接続回路１３５を内蔵して構成された他のアダプタ１０５、壁埋め込み型化粧パネル６１、パネル１１１等の電話線のモジュラープラグが複数個接続可能なようになっている。但し、モジュラージャック分岐器１８３を用いず、電話線１８１のモジュラープラグは直接室内設置のモジュラージャックに接続されることも可能である。
【０１３０】
かかる構成において、ダイヤル自動接続回路１３５には、所定の連絡先電話番号を予め設定可能である。人感知センサ１３により演算回路５４で人が検知された後、所定時間を経過しても、その後人の検知が解除されず、かつこの所定時間内に扉の開閉感知がされないとき、「大丈夫ですか。大丈夫ならば、リモコンを操作等してみて下さい。」等の所定の案内をスピーカ５６より流す。リモコンが操作されたり、部屋を移動したり、リフレクタ４３に手をかざすことで案内は停止する。
【０１３１】
一方、このような行動が取られない場合には、人が倒れている等の緊急状態と推定し、演算回路５４より緊急信号を発する。この緊急信号によりダイヤル自動接続回路１３５により予め設定した電話番号に接続される。その後、「人に異常があります。」の案内が相手先に伝えられる。
【０１３２】
この際には、発信元の電話番号をデータ送信したり、音声案内してもよい。この案内が数回繰り返された後、回線は切断される。電話を受けた相手は、この電話番号を発呼して電話機１８５に電話することで人の様子を確認できる。電話機１８５は、テレビ電話等のように相手を確認できることが望ましい。
以上により、アダプタ５等の設置個数の少ない場合には、費用も少なくできる。
【０１３３】
なお、電話線１８１によらず、アダプタ５等には無線による電話装置を内蔵してもよい。この場合には、電話線１８１、モジュラージャック分岐器１８３は不要である。面倒な配線工事も要さない。但し、連絡先電話番号の設定変更を容易にするためのボックスを別途配設するようにしてもよい。ボックスにはテンキー等が配設される。このボックスは、アダプタ５等からケーブルで延長され、壁等に取り付ける。
【０１３４】
また、外出先のプッシュ電話や携帯電話から不法侵入警戒モード等を設定可能である。この場合には、外出先から所定の電話番号をダイヤルする。電話機１８５で所定の回数電話の呼び出しを行い、その間に人が電話に出なかった場合に、ダイヤル自動接続回路１３５に自動接続する。
【０１３５】
その後、電話番号に続けた所定のキー等を押すことで不法侵入警戒モード等を設定可能である。押されたキーによる信号は演算回路５４で周波数分析され、キーが判断される。所定のキー等が検出されることで、演算回路５４は不法侵入警戒モード等に設定される。
但し、アダプタ５等に無線による電話装置を内蔵した場合には、直接この電話装置を介して不法侵入警戒モード等を設定可能である。
【０１３６】
次に、本発明の第１１実施形態について説明する。
本発明の第１１実施形態は、本発明の第１０実施形態がアダプタ５等に対しそれぞれダイヤル自動接続回路１３５を内蔵させていたのを、中継器に配設した一つのダイヤル自動接続回路１３５でまとめて処理するものである。
【０１３７】
本発明の第１１実施形態の回路構成図を図１９に示す。図１９において、中継器１８７には、ダイヤル自動接続回路１３５及び分岐器１９３が内蔵され、ダイヤル自動接続回路１３５には複数のモジュラージャック１８９が接続されている。モジュラージャック１８９の一つは、ケーブル１９１により演算回路５４と接続されている。
【０１３８】
モジュラージャック１８９には、本発明の第１１実施形態と同様に構成された他のアダプタ１０５、壁埋め込み型化粧パネル６１、パネル１１１等の電話線のモジュラープラグが複数個接続可能なようになっている。ダイヤル自動接続回路１３５の出力は、分岐器１９３を介して公衆回線に接続されている。他の電話機１８５の電話線のモジュラープラグは、モジュラージャック１９５を経由して分岐器１９３と接続されている。
【０１３９】
かかる構成において、アダプタ５等が複数個配設され、いずれかの演算回路５４で人の異常状態、火災、不法侵入等が検出された場合でも、緊急信号等によりダイヤル自動接続回路１３５により予め設定した電話番号に通報可能である。ダイヤル自動接続回路１３５を共通化させることで安価に構成できる。このダイヤル自動接続回路１３５には、所定の連絡先電話番号を予め設定可能である。また、ケーブル１９１を介して複数のアダプタ５等間の信号の授受が簡単に行える。
【０１４０】
なお、中継器１８７には、無線による電話装置を一台内蔵させ、ダイヤル自動接続回路１３５と接続してもよい。この場合には、分岐器１９３等は不要である。
また、前述と同様に、外出先から不法侵入警戒モード等を設定可能である。この場合には、各演算回路５４は不法侵入警戒モード等に設定される。
【０１４１】
次に、本発明の第１２実施形態について説明する。
本発明の第１２実施形態は、携帯電話とリモコンを一体化した携帯端末装置を用いることで更に利用され易くしたものである。
本発明の第１２実施形態のブロック図を図２０に、外観図を図２１に示す。図２０及び図２１において、携帯端末装置２００には、携帯電話回路２０１とリモコン回路２０３とが一つのユニット２０５内に収納されている。携帯電話回路２０１にはアンテナ２０７が配設され、図示しない携帯電話基地局と無線にて交信可能なようになっている。携帯電話回路２０１にはスピーカ２０９とマイクロホン２１１が配設され、相手先と無線電話可能なようになっている。
【０１４２】
リモコン回路２０３には、ユニット２０５の先端部に送受信部２１３を有し、例えばテレビやビデオ、ラジカセ等との間で赤外線による交信が可能なようになっている。操作表示部２２０には、テンキー２１５、操作キー２１７等の各種キーと液晶画面２２１が配設されている。
【０１４３】
キー類は携帯電話回路２０１とリモコン回路２０３とで共通化されている。制御部２２３は、各回路間の調整、制御を行うようになっている。ユニット２０５内には時計機能部２２５が配設され、システム全体の日時管理を行うようになっている。切替ボタン２１４によりテレビやエアコン等のモードの切替えが可能であり、設定項目等は、液晶画面２２１に表示されるようになっている。
【０１４４】
人異常判断部２２７は、高齢者等が体調の異常により動けなかったり、病気等で危険な状態にあることが判断されるようになっている。演算部２２８では、種々の演算が行えるようになっている。電源部２２９は携帯電話回路２０１やリモコン回路２０３等の共通電源であり、充電装置２６１にユニット２０５が載置されることで電磁的に充電可能なようになっている。
【０１４５】
一方、アダプタ５の回路構成図を図２２に示す。図２２において、送光部２４１は赤外線を照射可能であり、演算回路５４に接続されている。但し、送光部２４１は赤外線を送受光可能としてもよい。また、赤外線に代えて無線や超音波にて送受信可能としてもよい。更に、赤外線の他に無線や超音波でも送受信可能とし、後述するようにそれぞれの特徴を生かした形で共存させるようにしてもよい。
【０１４６】
次に、本発明の第１２実施形態の動作を説明する。
携帯電話回路２０１によれば、携帯電話として、テンキー２１５にてダイヤル選択された相手先と電話をすることが出来る。また、相手先からの電話を受信出来る。更に、インターネットに接続可能である。一方、リモコン回路２０３によれば、テレビやビデオ等との間で赤外線による交信が可能であり、チャンネルの変更やスイッチの入り切り操作、音量調節等が可能である。
【０１４７】
スイッチ２３１により照明の入り切り操作も可能である。これらの携帯電話として、またリモコンとしての操作が行われると、人異常判断部２２７は、人が正常であると判断する。一方、何らの操作も行われずに所定時間経過したときには、所定の案内をスピーカ２０９より流す。但し、送受信部２１３を介して信号をアダプタ５に送信し、所定の案内をスピーカ５６から流すようにしてもよい。スピーカ２０９とスピーカ５６の両方にて流すようにしてもよい。応答の無い場合には人の異常と判断する。
【０１４８】
応答は、いずれかの或いは所定のスイッチを押すことで行ってもよいが、人が「Ｏ．Ｋ．」等の特定の声を発することで、その声をマイクロホン２１１で抽出する。そして、かかる人の声を検出したことで応答されたと判断してもよい。
また、携帯端末装置２００には振動検出部を配設し、携帯端末装置２００が持ち運ばれる等により振動を確認している場合を、人異常判断部２２７では人が正常であると判断してもよい。
【０１４９】
振動検出部の構成は、例えば図２３（Ａ）において、慣性体４２１は所定角度の切欠を有しており、支軸４２３を中心として回動自在なようになっている。慣性体４２１の回動は、光電スイッチ４２５ａ、４２５ｂで光の通過、遮断によりパルス検出されるようになっている。
【０１５０】
また、この光電スイッチ４２５に代えて、図２３（Ｂ）に示すような機械スイッチを用いることも出来る。図２３（Ｂ）において、弾性を有する金属片４２６を支軸４２７回りで、かつ端子４２８ａ、４２８ｂ間に揺動自在とする。金属片４２６の端部にはバネ４２９が配設されている。そして、金属片４２６と端子４２８間の接触をパルス検出回路４２４でパルス信号として検出するようにしてもよい。
【０１５１】
振動検出部の別例を図２４に示す。球体４３１は四方がバネ４３３により保持されている。バネ４３３と球体４３１は電導性を有しており、球体４３１が金属壁４３５又は金属蓋４３７ａ、４３７ｂと接触した場合には電流が流れるようになっている。そして、パルス検出回路４３９では、この電流の変化を電圧変換し、波形整形することでパルス信号を検出可能なようになっている。
【０１５２】
また、この金属蓋４３７ａ、４３７ｂには、図２５に示すように外周より中央付近に行くに連れ山形に突設させ、複数本の環状の導体４３２を中心を共通に配設することも可能である。このことにより、球体４３１がどの環状導体４３２と接触したかにより振動の強弱を検出可能となる。
【０１５３】
更に、振動検出部の別例を図２６に示す。図２６において、中空の電磁コイル４４１ａ、４４１ｃはｘ軸上に配設され、中空の電磁コイル４４１ｂ、４４１ｄはｙ軸上に配設され、原点（中央）で交差するようになっている。そして、電磁コイル４４１は金属蓋４４７の中央に固定されている。
【０１５４】
電磁コイル４４１ａ、４４１ｂ、４４１ｃ、４４１ｄの内側には磁石棒４４３ａ、４４３ｂ、４４３ｃ、４４３ｄが移動自在に挿入され、磁石棒４４３の外側端部にはバネ４４５の一端が取り付けられ、バネ４４５の他端は周壁４４７に固定されている。
【０１５５】
電磁コイル４４１ａ、４４１ｃ及び電磁コイル４４１ｂ、４４１ｄは端子がそれぞれ直列に接続され、抽出された端子間電圧はパルス検出回路４４９Ａ、４４９Ｂに入力されるようになっている。
【０１５６】
かかる構成において、磁石棒４４３の移動により発生した電磁コイル４４１の起磁力を予め設定した電圧値と比較することで振動を検出する。但し、この起磁力の大きさを複数段階設定することで、振動の強弱を検出するようにしてもよい。
【０１５７】
また、磁石棒４４３に代えて金属棒とし、電磁コイル４４１には定電流を流し、金属棒の移動を誘導起電力の変化として捉え検出するようにしてもよい。
なお、所定の案内に対し応答する場合に携帯端末装置２００を持ち揺らす。このことにより、振動検出部で振動を検出し、人が安全であることを確認するようにしてもよい。
【０１５８】
一方、人感知センサ１３で人の存在が感知され、かつ人の存在感知開始後所定時間経過しても人感知センサ１３による検出信号の変動のないとき演算回路５４により所定の案内をスピーカ５６より流す。但し、スピーカ２０９から流すようにしてもよい。応答の無い場合には人の異常と判断され、人異常信号が送光部２４１より送出される。
【０１５９】
この人異常信号は、送受信部２１３を介して人異常判断部２２７に入力される。そして、人異常判断部２２７でかかる人の異常が判断されたときには、携帯電話回路２０１にて予め設定された相手先に自動的に電話をかける。この際には音声ＩＣにより人の異常を通報する。その後、この相手先と電話をすることができる。相手先からの音声は、内蔵のスピーカ２０９より室内にいる人に聞こえるようにする。
【０１６０】
このため、人の異常が判断されたときには、スピーカ２０９の音量が大きくなるように切り換えられる。または、音量の異なる他のスピーカに切り換えられる。人が離れた位置から話した場合でもマイクロホン２１１にて音声は拾われる。また、人が緊急の場合には、自己判断で緊急ボタン２４３を押すことで、この予め設定された相手先に容易に電話をかけることができる。
【０１６１】
なお、人感知センサ１３で人の存在を感知したときや人の存在が感知されなくなったとき、送光部２４１より特定の信号を送信してもよい。そして、人異常判断部２２７で、人の存在感知開始後所定時間経過しても人感知センサ１３による検出信号の変動のないことを判断するようにしてもよい。この際には、演算回路５４での人異常判断をしないことも可能であるが、演算回路５４と人異常判断部２２７とで平行して処理を行うようにすればいずれか一方の故障の際にも他方にて対応できる。
【０１６２】
また、このように、送光部２４１より送信された人の存在感知・不感知信号を受信することで、例えば人異常判断部２２７で、リモコンと携帯電話に何らの操作もされずに所定時間をカウント中であっても、人感知センサ１３での人の存在が感知されなくなったことの確認信号をもって人異常判断処理をリセットさせることができる。
【０１６３】
また、これとは逆に、人感知センサ１３で人の存在が感知され、かつ人の存在感知開始後人感知センサ１３による検出信号の変動のない時間をカウント中であっても、リモコンと携帯電話に何らかの操作が行われたことの確認信号をもって人異常判断処理をリセットさせることができる。
以上により、一層精度の高い人異常判断処理を行うことができる。
【０１６４】
なお、スリープボタン２３２を押すことで、例えば１５分、３０分、４５分、１時間経過後等に選択された機器であるラジオ等の電源をＯＦＦするよう設定が可能である。スリープボタン２３２が操作された場合には、人が睡眠に入ると判断できる。このため、演算回路５４、人異常判断部２２７では、スリープボタン２３２で選択された時間の経過後に自動的にスリープモードに入り、睡眠時間として予め設定された時間後又は改めて人の移動検出やボタン操作等がされるまで人異常判断処理を行わない。睡眠時間は昼の時間帯と夜の時間帯とで異ならせて設定可能とするのが望ましい。かかる睡眠時間はその人の生活パターンとして演算回路５４等で学習して記憶し、睡眠時間を自動的に判断するようにしてもよい。この場合には、スリープボタン２３２が操作されなくても自動的にスリープモードに入る。一方、当日の気分がすぐれない場合には、図示しない「体調悪い」ボタンを押すことで、かかる自動的なスリープモードへの移行をしないようにすることが望ましい。以上により、人はラジオ等を聞きながら寝ることができ、就寝状態や昼寝状態を人異常状態とは区別することができる。
【０１６５】
送光部２４１を無線とした場合には、無線の届く範囲内であれば、各部屋間の移動に際し携帯端末装置２００を持ち運ばなくても人の異常判断が可能である。
不法侵入警戒モード等の設定に際しては、外出先の電話からこの携帯端末装置２００に対し電話をかける。
【０１６６】
その後、電話番号に続けた所定のキー等（暗証番号を設定した場合にはこの暗証番号も含む）を押すことで不法侵入警戒モード等を設定可能である。この場合には、リモコン回路２０３、送受信部２１３を介してアダプタ５等に信号送出され、演算回路５４は不法侵入警戒モード等に設定される。但し、人の存在感知・不感知信号を送光部２４１より送信する場合には、人異常判断部２２７にて不法侵入警戒モード等に設定することも可能である。
【０１６７】
このとき、図２７に示すように、携帯端末装置２００にはカメラ３３１を内蔵させ、部屋全体や入口等を見渡せる壁等に取り付けられた収納ボックス３３３に着脱自在とする。この収納ボックス３３３には、携帯端末装置２００の電極端子３３５Ａと接触可能な電極端子３３５Ｂが配設されている。携帯端末装置２００は、この電極端子３３５Ａ、３３５Ｂを介して充電が可能である。このため、ケーブル３３７が接続されている。
【０１６８】
不法侵入のされた場合には、人感知センサ１３で人の存在が感知されたことでアダプタ５では電球３をＯＮする。この際には、アダプタ５が手動モードに設定された状態にあっても強制的にＯＮする。そして、アダプタ５等の送光部２４１より送信された人の存在感知信号（不法侵入信号）を送受信部２１３を介して受信することで、カメラ３３１のスイッチがＯＮされる。撮影された映像は、電子メールに添付されて自動送信される。人が感知されている間に所定時間毎に複数回カメラ３３１のスイッチのＯＮされ、映像が送信されることが望ましい。但し、撮像された映像は動画情報信号として送信されるようにしてもよい。映像はメモリに記録されるが、相手先にも保存される。この際には警報を鳴らすようにしてもよい。このことにより、侵入者の姿も記録でき、誤報か否かの確認も簡単に行える。
【０１６９】
なお、不法侵入警戒モードや火災報知等についてカメラ３３１による撮影、撮影された画像情報の送信を行うとして説明したが、演算回路５４や人異常判断部２２７で人異常判断のされたときや緊急ボタン２４３が押されたとき等にも同様の処理を行うことが可能である。このことにより、人異常に対する通報が誤報か否かの確認を一層簡単に行える。
【０１７０】
図２７、図２８及びこの図２８の部分拡大図である図２９に示すように、この収納ボックス３３３には、携帯端末装置２００を側部より保持するための保持部３３４が突設されている。そして、この保持部３３４には電磁コイル３３９Ａ、３３９Ｂが内蔵されており、この電磁コイル３３９Ａ、３３９Ｂ内部に通され出没自在な電磁棒３４１Ａ、３４１Ｂが配設されている。この電磁棒３４１Ａ、３４１Ｂの端部には「コ」の字状の出没板３４３が固着されている。電磁棒３４１Ａ、３４１Ｂは、電磁コイル３３９Ａ、３３９Ｂに流される電流の極性を変えることで吸引若しくは反発することで出没する。出没板３４３には魚眼レンズ３４５が取り付けられており、電磁棒３４１Ａ、３４１Ｂが突出されたとき丁度カメラ３３１のレンズを覆うようになっている。一方、電磁棒３４１Ａ、３４１Ｂが吸引された場合には出没板３４３は保持部３３４の内部に収納される。
【０１７１】
また、同様に、保持部３３４には電磁コイル３４０Ａ、３４０Ｂが内蔵され、この電磁コイル３４０Ａ、３４０Ｂ内部には出没自在な電磁棒３４２Ａ、３４２Ｂが配設されている。この電磁棒３４２Ａ、３４２Ｂの端部には「コ」の字状の出没板３４４が固着されている。出没板３４４には曇りガラス光学フィルタ３４６が取り付けられており、電磁棒３４２Ａ、３４２Ｂが突出されたとき丁度カメラ３３１のレンズ及び／又は魚眼レンズ３４５を覆うようになっている。
【０１７２】
カメラ３３１による撮像は、カメラ３３１のレンズによる通常の撮影が可能な他、室内を広く撮像するため魚眼レンズ３４５による広角度撮影が可能である。また、曇りガラス光学フィルタ３４６をカメラ３３１のレンズや魚眼レンズ３４５に重ねた場合には、曇りガラス越しに人が撮影される。このため、人のプライバシーが保護される。プライバシーの保護、解除は、ボタン３４９を押すことで可能である。
【０１７３】
カメラ３３１による撮影は、人異常信号が発せられたとき、緊急ボタン２４３が押されたとき、不法侵入の旨や火災の信号が出力されたとき、後述する遠隔操作がされたとき等に行われる。但し、人異常信号が発せられたとき、緊急ボタン２４３が押されたとき、不法侵入の旨や火災の信号が出力されたときには、プライバシーの保護を強制的に解除するのが望ましい。
【０１７４】
広角度撮影信号又は通常撮影信号やプライバシーの解除信号は、携帯端末装置２００より電極端子３３５Ａ、電極端子３３５Ｂを介して収納ボックス３３３の出没板制御部３４７に伝えられる。そして、出没板制御部３４７では、入力された信号が広角度撮影信号か通常撮影信号かによって電磁石３３９Ａ、３３９Ｂに流す電流の方向を変える。
【０１７５】
プライバシーの解除信号が入力された場合には、ボタン３４９が押された状態でもプライバシーの保護は強制的に解除される。
但し、電磁石３３９、出没板３４３、出没板制御部３４７は保持部３３４に配設せずに携帯端末装置２００に内蔵されてもよい。また、ボックス１３０等に配設されてもよい。
【０１７６】
また、カメラ３３１は携帯端末装置２００とは独立させて保持部３３４に配設してもよい。この際には、カメラ３３１と携帯端末装置２００間にカメラ制御回路を介在させて入力された信号に基づきカメラ３３１の制御を行う。保持部３３４を、収納ボックス３３３に対し回動自在に構成してカメラ３３１の設置角度を変えられるようにしてもよい。
【０１７７】
更に、不法侵入の場合においては、カメラ３３１により撮影された画像はホストコンピュータにて一端受信し保存された後、画像分析を行い、予め登録された人の顔や姿等の特徴と比較を行う。但し、この比較は人が判断するようにしてもよい。そして、これらの人の特徴と異なっていた場合に予め定めた送信先に画像が転送されるようにしてもよい。広角度撮影された画像は、ソフトウェア処理により平面画像に修正されてもよい。カメラ３３１が複数台設置可能であれば、例えばアダプタ５により天井側から撮像した画像と、水平から撮像した画像等の複数の画像を基に不法侵入者の立体像も作成可能となる。
【０１７８】
更に、収納ボックス３３３に固定された携帯端末装置２００は、冷蔵庫の扉等の日常的に使用され、かつ振動する部分に磁石等により取付けられるのが望ましい。このとき、冷蔵庫の扉の開閉の度に携帯端末装置２００の振動検出部にて振動が検出される。冷蔵庫の扉の開閉がされる場合には、人は安全であると考えられる。但し、この場合には、振動検出部を収納ボックス３３３側に配設してもよい。
【０１７９】
また、この冷蔵庫の扉の開閉部分に対し、開閉動作に伴い機能するスイッチ３５１を介装する。スイッチ３５１の一例を図３０に示す。図３０において、底板３８１の両端には電極部３８３Ａ、３８３Ｂが突設されている。電極部３８３Ａ、３８３Ｂの上端には接触板３８５が対峙され、この接触板３８５は、バネ３８７により電極部３８３Ａ、３８３Ｂから浮かされた状態で保持されている。底板３８１、接触板３８５、電極部３８３Ａ、３８３Ｂの周囲全体を覆うように弾性材からなる被覆３８９が被されている。
【０１８０】
かかる構成において、スイッチ３５１は、冷蔵庫本体と扉に添付されたゴムパッキンの間に介装される。または、このスイッチ３５１を冷蔵庫本体側部又は扉側部の一方側に固定し、接触板３８５に当接される図３１に示す当接部材３９０を他方側に固定してもよい。当接部材３９０は、角柱状の出没体３９１がバネ３９３により支持され、この出没体３９１はケース３９５内を出没自在に構成されている。
【０１８１】
そして、スイッチ３５１に一端が接続されたケーブル３５３の他端部を収納ボックス３３３に接続する。スイッチ３５１は接触スイッチの他にリミットスイッチ、圧力スイッチ等も可能である。そして、スイッチ３５１が機能した場合には、電極端子３３５Ａ、電極端子３３５Ｂを介して信号が収納ボックス３３３に伝送され、携帯端末装置２００の演算部２２８に入力される。演算部２２８では、この信号により人が安全であると判断する。または、携帯端末装置２００より赤外線を発し、アダプタ５にてこの放射された赤外線を検知するようにしてもよい。
【０１８２】
なお、かかるスイッチ３５１及びこのスイッチ３５１が機能したとき赤外線を発する器具を独立して装備し、アダプタ５にてこの放射された赤外線を検知するようにしてもよい。
更に、携帯端末装置２００は、収納ボックス３３３に固定されるのではなく、ペット型ロボット等に配設されてもよい。この場合、マイクロホン２１１はロボットの耳に内装し、スピーカ２０９は口に内装する。そして、カメラ３３１は目に内装する。
【０１８３】
なお、人異常判断部２２７をアダプタ５等の側に配設することも可能である。このとき、携帯端末装置２００にて携帯電話として、またリモコンとしての操作が行われる都度、送受信部２１３から赤外線が送出される。そして、送出された赤外線は、アダプタ５側で受信される。
【０１８４】
また、リモコンは、使用されている信号が赤外線等で共通してさえいれば、携帯端末装置２００とは別個に配設されたリモコンであっても、送出される赤外線は同様にアダプタ５側で受信されるため、人異常の判断として利用可能である。
【０１８５】
そして、携帯端末装置２００等で何らの操作も行われずに所定時間経過したとき、又は人感知センサ１３で人の存在が感知され、かつ人の存在感知開始後所定時間経過しても人感知センサ１３による検出信号の変動のないとき演算回路５４により音声案内が行われる。この際には、「大丈夫ですか。」等の音声案内に対して携帯端末装置２００を操作等することでも応答可能である。かかる応答の無い場合には人の異常と判断され、人異常信号が送光部２４１より送出される。
【０１８６】
この人異常信号は、送受信部２１３を介して携帯端末装置２００に信号入力され、携帯電話回路２０１にて予め設定された相手先に電話をかける。そして、音声ＩＣによる人の異常報告がされ、その後続いてこの相手先と電話をすることができる。なお、「大丈夫ですか。」等の音声案内をアダプタ５等の側ではなく、携帯端末装置２００に内蔵のスピーカ２０９にて発するようにしてもよい。
【０１８７】
なお、実施形態５〜１１のように、電話機１３７やダイヤル自動接続回路１３５の配設された場合には、この携帯端末装置２００を家の外に持ち出して外部から不法侵入警戒モード等に設定することも可能である。
【０１８８】
この際には、アダプタ５や壁埋め込み型化粧パネル６１、パネル１１１等にカメラ３３１を配設してもよいが、図１４のボックス１３０を部屋全体や入口等を見渡せる壁等に取り付け、このボックス１３０にカメラ３３１を配設するようにしてもよい。そして、不法侵入がされた場合には、前述と同様にアダプタ５では電球３をＯＮする。その後アダプタ５等より人の存在感知信号（不法侵入信号）を受信することで、カメラ３３１のスイッチがＯＮされる。撮像された映像は、電子メールに添付されて送信されたり、映像信号として送信される。映像はメモリに記録される。
【０１８９】
また、本発明の第１２実施形態では、携帯電話回路２０１とリモコン回路２０３とを共通の制御部や操作表示部により一体化するとして説明したが、それぞれを独立した形で一つのユニット内に収納してもよい。
【０１９０】
次に、本発明の第１３実施形態について説明する。
本発明の第１３実施形態は、図３２の携帯端末装置３００に示すように、携帯電話回路２０１、リモコン回路２０３及び人異常判断部２２７等を腕時計ケース３１２に内蔵し、腕に装着可能としたものである。但し、人異常判断部２２７は、アダプタ５等の側に配設することも可能である。図３２において、腕時計ケース３１２の表面には時計や発信データ等を表示可能な表示部３０９と、数字やアルファベット、記号等を入力可能なキー部３１１が配設されている。
【０１９１】
キー部３１１の下部には送話孔３１３が配設され、この送話孔３１３の奥にはマイクが設置されている。マイクで抽出された音声は増幅され、無線にて無線基地局に送信されるようになっている。一方、受信された音声は、内蔵のスピーカにて発せられる。時計バンド３１７にはアンテナ３１９が埋め込まれている。また、時計バンド３１７の両端部には端子３２１Ａ及び端子３２１Ｂがそれぞれ形成されており、時計バンド３１７の装着により主電源の入り切りがされるようになっている。
通話キー３２２を押すことで発呼信号に続き電話番号データが無線基地局に対し送信され、相手先と接続する。
【０１９２】
以上により、腕時計ケース３１２を腕に装着可能なので、人の移動に際し、携帯電話を移動する必要がない。日常的には携帯電話やリモコンとして使用できるため、使い慣れることができる。日常的に頻度高く利用されるものであり、腕に装着されるものなので無くす恐れが少ない。人が倒れた場所から連絡手段が遠くに存在するという恐れも極めて少なくなる。
【０１９３】
また、緊急の際等の通話も常に行え、かつ楽な姿勢で行える。就寝時等においても緊急の電話を容易にかけることができる。更に、「大丈夫ですか。」等の音声案内をアダプタ５等の側ではなく、腕時計ケース３１２に内蔵のスピーカにて発すれば耳の遠いお年寄りでも確実に聞くことができる。バイブレーション機能等を配設すれば、耳の遠いお年寄りや目の不自由なお年寄りに対しても確実に連絡が取れる。
【０１９４】
なお、先述の体動検出部を携帯端末装置３００に配設し、体動の検知により人の安全を確認してもよい。また、体動検出部は、腕時計ケース３１２が腕に接触する裏面部分と表面部分とに圧電センサを配設することで構成してもよい（図示略）。体動は圧電センサに負荷される圧力として感知され、電気信号に変換され人異常判断部２２７に伝えられる。
【０１９５】
次に、本発明の第１４実施形態について説明する。
本発明の第１４実施形態は、ラジオやテレビ、ゲーム等の試聴機能を携帯端末装置２００、３００等に配設したものである。但し、この試聴機能はユニット化され、携帯端末装置２００、３００等に対し着脱自在としてもよい。また、人異常判断部２２７を着脱自在にユニット化してもよい。携帯端末装置２００、３００等を防水構造とすれば風呂ラジオ等として使用可能である。そして、ラジオ等のスイッチやボリューム等の操作によっても人異常判断部２２７、演算回路５４等では人の安全を確認する。アダプタ５等を風呂場やトイレ等に配設した場合、人がこれらの部屋に入ると送光部２４１より人の存在感知信号が送信される。携帯端末装置２００、３００等では、この人存在感知信号を受信することで、風呂ラジオ等の電源をＯＮすることができる。但し、電源のＯＮは、手動にてスイッチの投入で行うようにしてもよい。また、人が風呂場等から出ると送光部２４１より人の存在感知信号が送信されなくなる。携帯端末装置２００、３００等では、このアダプタ５等より人の存在感知信号が受信されなくなったことで、風呂ラジオ等の電源をＯＦＦする。なお、複数の機器に関してかかる制御を行う場合には、人の存在感知信号等に対しＩＤコードを付するようにしてもよい。
【０１９６】
ラジオ等のスピーカは通常時はラジオの音声を流しているが、所定の案内をする場合には回線の自動切替えを行いこのスピーカより案内を流す。「大丈夫ですか。」等の音声案内に対しては、先述の体動検出部が配設されている場合にはラジオ等を少し振ったり、スイッチ類を操作したり、人が部屋を移動したり、リフレクタ４３に手をかざすことで案内は停止する。かかる応答がされずに人異常が判断された際には、このスピーカより通話の相手の声を流す。この通話にも応答のされない場合には、スピーカより大きな音声や警告音を発するようにしてもよい。このことにより、人異常の際の誤認をかなり防止できる。
【０１９７】
なお、アダプタ５等の配設に関しては、各部屋の有する特性毎に種々のアダプタ５等を組み合わせて構成するようにしてもよい。例えば、風呂場やトイレ等には、図２２に示すようなダイヤル自動接続回路１３５を有しないタイプを配設し、居間のみに図１８に示すようなダイヤル自動接続回路１３５を有するタイプを配設する等可能である。
【０１９８】
また、かかる自動による電源制御をエアコンやテレビ、ラジオカセット等に対しても行うことが可能である。図３３にフローチャートを示す。ステップ５１ではアダプタ５等は待機状態にある。ステップ５３でアダプタ５等は、携帯端末装置２００、３００等からのリモコン操作信号を受信する。ステップ５５で、受信した信号を基にアダプタ５等ではＩＤコードから例えばエアコンに対するものであると判断する。ＩＤコードは予め演算回路５４に登録しておく。ステップ５７で受信した信号が電源のＯＮ信号であると判断したとき、ステップ５９に進み、人感知センサ１３により人検知がされているか否か判断される。そして、人の検知がされなくなった場合には、所定のタイマー時間経過後にステップ６１で送光部２４１よりこのエアコンの電源のＯＦＦ信号を発する。一方、受信した信号が電源のＯＦＦ信号である場合には、ステップ６３でステップ５１の待機状態に戻る。この場合にはエアコンの電源をＯＦＦする必要はないからである。ＯＮ信号やＯＦＦ信号以外の信号の場合には電源が生きている状態なので、ステップ５９に進む。
以上により、エアコン等の消し忘れを防止できる。
【０１９９】
なお、電源が生きていることを所定の応答信号で受信できればその信号に基づき制御してもよいし、ＯＮ信号等を確認せずに節電を対象とするすべての機器に対しステップ６１で一様に電源のＯＦＦ信号を発するようにしてもよい。
また、設定により、人が再びこの室内に戻った場合にはＯＮ信号を発し元の状態に復帰させるようにしてもよい。
【０２００】
次に、本発明の第１５実施形態について説明する。
本発明の第１５実施形態は、蛍光灯照明器具に関してもアダプタ５等の適用を可能とするものである。
【０２０１】
図３４に示すように、直管型蛍光管５００の左右には細棒状の電極端子５０３ａ、５０３ｂ、５０３ｃ、５０３ｄが突設されている。この電極端子５０３ａ、５０３ｂ、５０３ｃ、５０３ｄ及び円筒状の蛍光管５０１の端部５０４Ａ、５０４Ｂの周囲には、被覆体５０５が被覆されている。被覆体５０５の底部は半径方向外側に向けて折曲されている。図中左方の被覆体５０５は電極端子５０３ａと電極端子５０３ｂに対応されてそれぞれ被覆体５０５ａと被覆体５０５ｂとに区分して構成され、被覆体５０５ａと被覆体５０５ｂは絶縁部５０６Ａを介して接合されている。
【０２０２】
また、図中右方の被覆体５０５は、電極端子５０３ｃと電極端子５０３ｄに対応されてそれぞれ被覆体５０５ｃと被覆体５０５ｄとに区分して構成され、被覆体５０５ｃと被覆体５０５ｄは絶縁部５０６Ｂを介して接合されている。
【０２０３】
更に、被覆体５０５ａ、５０５ｂの裏面には、導体が形成され、ケーブル５０９、５１１が電極端子５０３ａと電極端子５０３ｂにそれぞれ電気的に接続されている。一方、被覆体５０５ａ、５０５ｂの表面には、被覆体５０５ａ、５０５ｂの裏面とは絶縁された導体が形成されている。そして、被覆体５０５ａの表面導体は、電源ライン５１２の一端子及びケーブル５１３と接続され、被覆体５０５ｂの表面導体は、グローランプ５０７の一端子及びケーブル５１５と接続されている。また、被覆体５０５ｃには、電極端子５０３ｃと接続される導体が形成され、この導体には電源ライン５１２の他端子及びケーブル５１７が接続されている。一方、被覆体５０５ｄには、電極端子５０３ｄと接続される導体が形成され、この導体にはグローランプ５０７の他端子が接続されている。
【０２０４】
ケーブル５１３とケーブル５１７はトランス５３に接続されている。ケーブル５０９には手動、自動を切り換えるプルスイッチ３７Ａが接続されている。同様に、ケーブル５１１にはプルスイッチ３７Ｂが接続されており、プルスイッチ３７Ａとプルスイッチ３７Ｂとは連動されている。プルスイッチ３７Ａとプルスイッチ３７Ｂの手動側にはそれぞれ切替えスイッチ３８Ａ、３８Ｂが設けられ、この切替えスイッチ３８Ａと切替えスイッチ３８Ｂも連動されている。また、ケーブル５０９とケーブル５１３間にはリレー５１、５２の各接点がそれぞれ配設され、ケーブル５１１とケーブル５１５間にもリレー５１、５２の各接点がそれぞれ配設されている。なお、アダプタ５等は天井等の適所に取り付けられる。
【０２０５】
かかる構成において、プルスイッチ３７Ａとプルスイッチ３７Ｂとが自動モードに選択されている際には、リレー５１、５２の作用により蛍光管５０１を点灯、消灯可能である。また、演算回路５４に電源を供給可能である。
【０２０６】
蛍光管５０１を複数本同時に自動点灯、消灯させるためには、各蛍光管５０１に対応された前述と同様のリレー回路をアダプタ５内に追加用意し、各蛍光管５０１に配設された被覆体５０５ａ、５０５ｂよりケーブル５１３、ケーブル５１５、ケーブル５０９、ケーブル５１１を引出し、このリレー回路に接続することで可能である。但し、電源の供給は既にされているので、２本目以降の直管型蛍光管５００には被覆体５０５ｃ、５０５ｄは省略可能である。また、リレー５１、５２を直管型蛍光管５００毎に独立して配設しリモコンによりＯＮ、ＯＦＦ可能とすれば、直管型蛍光管５００毎に独立して点灯、消灯可能である。
このことにより、直管型蛍光管５００に関してもアダプタ５等の適用が可能である。
【０２０７】
また、図３５には、直管型蛍光管５００に関しアダプタ５等を適用可能とした別例を示す。蛍光管保持具５３１Ａ、５３１Ｂに内蔵のプラグには、もともと蛍光管５０１の電極端子５０３ａ、５０３ｂと電極端子５０３ｃ、５０３ｄのそれぞれが装着されていたが、この蛍光管５０１を外し、蛍光管５０１に代えて端部に電極端子５３３ａ、５３３ｂ、５３３ｃ、５３３ｄを有する支柱５３５を装着したものである。
【０２０８】
支柱５３５のパイプ５３７にはパイプ５３９が収納自在なようになっている。そして、パイプ５３７の端部には、回動されることでこのパイプ５３９を締結可能な締結具５４１が配設されている。パイプ５３９の長さを調節することで、いずれの蛍光管５０１の長さにも調節可能である。
【０２０９】
パイプ５３７、パイプ５３９にはＬ字状に曲げられた中空の保持部材５４３Ａ、５４３Ｂが固着され、かつこの保持部材５４３Ａ、５４３Ｂの底部には蛍光管保持具５４５Ａ、５４５Ｂが固着されている。蛍光管保持具５４５Ａ、５４５Ｂに内蔵のプラグには、蛍光管保持具５３１Ａ、５３１Ｂから外された蛍光管５０１の電極端子５０３ａ、５０３ｂと電極端子５０３ｃ、５０３ｄのそれぞれが装着されている。蛍光管保持具５４５Ａの側部にはアダプタ５が連設されている。  電極端子５３３ａ、５３３ｂにそれぞれ接続された図示しないケーブルが、保持部材５４３Ａを通ってアダプタ５内蔵の図２９と同様のリレー回路の一端にそれぞれ接続されている。また、電極端子５０３ａ、５０３ｂにそれぞれ接続された図示しないケーブルが、アダプタ５内蔵のリレー回路の他端にそれぞれ接続されている。電極端子５３３ａに接続されたケーブルは分岐されてトランス５３の一端子に接続されている。電極端子５３３ｃから支柱５３５及び保持部材５４３Ａを通されたケーブルはトランス５３の他端子に接続されている。電極端子５３３ｃは電極端子５０３ｃに接続され、電極端子５３３ｄは電極端子５０３ｄに接続されている。
【０２１０】
かかる構成において、前述と同様の制御が可能となり、直管型蛍光管５００に関しアダプタ５等の適用が可能となる。なお、アダプタ５には人感知センサ１３が複数接続されている。人感知センサ１３はジャック５４７にてアダプタ５に増設可能である。人感知センサ１３の出力信号は論理和にて回路構成されている。部屋が広い場合等、人感知センサ１３を窓の側等に適当数配設することで、人感知の精度を上げることができる。人感知センサ１３には、俯仰・水平角度を適宜調節可能な角度調節機構を組み合わせてもよい。人感知センサ１３を傾斜させて配設すれば防護される範囲も広くとれる。以上により、不法侵入者が窓から侵入した場合等にも精度よく検知可能である。
【０２１１】
また、図３６、図３７及び図３８には、円管型蛍光管６００に関しアダプタ５等を適用可能とした別例を示す。蛍光管６０１の電極端子６０３には蛍光灯ソケット６０５がもともと装着されていたものである。この蛍光灯ソケット６０５を外し、電極端子６０３には中間ソケット６０７を装着する。図３７に示すように、この中間ソケット６０７の左部には蛍光管６０１の電極端子６０３が挿入される電極受け部６０９が配設され、中間ソケット６０７の右部には蛍光灯ソケット６０５に挿入される電極端子６１１が突設されている。中間ソケット６０７には、この電極受け部６０９と電極端子６１１とに接続されたケーブル６１３が外部に引き出されている。但し、電極受け部６０９と電極端子６１１とは共に４端子で構成されるが、その内の対向する２端子は電極受け部６０９と電極端子６１１間とで接続された状態とする。ケーブル６１３の心線の内訳は、図３８に示すように、電源として２本、リレー回路に４本でその内の１本を兼用した５本で構成される。ケーブル６１３の端部にはジャックが配設され、アダプタ５のジャック６１５に対し接続自在なようになっている。
【０２１２】
更に、蛍光管６０１が複数本の場合には、同様に他の蛍光管６０１に対しても中間ソケット６０７を装着し、ケーブル６１３のジャックをアダプタ５のジャック６１７に対し接続する。プルスイッチ３７Ａ、３７Ｂ、３７Ｃ、３７Ｄ、切替えスイッチ３８Ａ、３８Ｂ、３８Ｃ、３８Ｄはそれぞれ連動されている。リレー５１Ａ、５２Ａとリレー５１Ｂ、５２Ｂとを独立して配設したことで、リモコンにより各円管型蛍光管６００毎に独立して点灯、消灯可能である。
【０２１３】
次に、本発明の第１６実施形態について説明する。
本発明の第１６実施形態は、不法侵入警戒モード等の設定や、エアコン等の制御、テレビ番組の録画予約、カメラ等の制御、人の安全確認等をインターネットを介して行うものである。
【０２１４】
図３９において、サーバ７０９はＩＳＤＮ回線７１１とインターネット７１３に接続されており、ユーザーからの要求、アダプタ５、１０５、壁埋め込み型化粧パネル６１、パネル１１１、変換器１２０、中継器１８７等からの信号を処理・中継するようになっている。
【０２１５】
アダプタ５等はターミナルアダプタ７１５を介してＩＳＤＮ回線７１１と接続されている。また、アダプタ５等の送光部２４１等から送信される赤外線や電波により遠隔制御装置７１７の起動や停止等の制御が可能なようになっている。遠隔制御装置７１７は、例えばリモコン制御の可能なエアコンやテレビ、ビデオ等である。
インターネット７１３には、インターネット接続可能な携帯電話７１９や携帯情報端末７２１、パソコン７２３が接続可能なようになっている。
【０２１６】
次に、本発明の第１６実施形態の動作を説明する。
本発明の第１６実施形態は、インターネット７１３のＷｅｂページにアクセスするものである。
ユーザーは、例えば携帯電話７１９からサーバ７０９上のＷｅｂページにアクセスする。アクセスに際しては、ユーザ番号や暗証番号等が入力されることが望ましい。ダウンロードされたＷｅｂページのメニュー画面例を図４０に示す。例えば照明の項目を選択する。サーバ７０９は、その要求内容を解析し要求コマンドに変換する。その後、ＩＳＤＮ７１１のＤチャネルパケット通信による「ユーザー間情報通知サービス」を介してユーザーが要求したアダプタ５宛てに送る。
【０２１７】
データ要求コマンドを受信したアダプタ５は、その応答である照明の現在の状況をＩＳＤＮ７１１を介してサーバ７０９に送る。アダプタ５からの応答を受け取ったサーバ７０９はそのデータをＷｅｂページの形式に変換してユーザーの端末である携帯電話７１９に表示する。このことにより、ユーザーはＷｅｂページにて照明である例えば電球３の現在の状況を確認できる。電球３は複数箇所にわたる場合でもＩＤコードにて区別可能なため、「台所蛍光灯  ＯＦＦ」、「居間蛍光灯  ＯＮ」等のように表示可能である。また、このＷｅｂページでは電球３の運転モードの変更やＯＮ、ＯＦＦ操作も可能なようになっている。ユーザーがこのＷｅｂページにて照明のＯＮ又はＯＦＦを選択すると、サーバ７０９は、その操作内容を解析し操作コマンドに変換する。その後、操作コマンドは、ＩＳＤＮ７１１のＤチャネルパケット通信を介してアダプタ５宛てに送られる。操作コマンドを受信したアダプタ５は、電球３を点灯等した後、その応答として電球３の現在の状況をＩＳＤＮ７１１を介してサーバ７０９に送る。
【０２１８】
不法侵入警戒モードの現在状態の確認及びモードの設定、解除も照明と同様に可能である。
エアコンの制御では、運転、停止操作が可能である。要求された操作信号は、アダプタ５等の送光部２４１等からエアコンに向けて送信される。但し、エアコンが信号の送受信可能なものであれば、エアコンの現在の設定状況を確認可能である。
【０２１９】
カメラを選択した場合には、魚眼レンズ３４５による広角度撮影かカメラ３３１による通常撮影が可能である。カメラ３３１にて撮影された画像は、電子メールに添付され、あるいは画像情報として送信される。
【０２２０】
人安全確認を選択した場合には、図４１に示すように、アダプタ５や携帯端末装置２００、３００、中継器１８７、変換器１２０等に内蔵の時計機能による日時と共に保存されている最新の行動データが表示される。これにより、人の安全確認が遠方にて可能となる。図４１より、人が現在何処にいるのか分かるため、カメラ３３１や電話による安否の確認も効率よく行える。
【０２２１】
アダプタ５等が複数台配設されている場合には、変換器１２０の演算部１２９にてかかる行動データを保存することが可能である。また、図１８のように、１台のアダプタ５のみを回線接続し、他のアダプタ等を回線接続しない場合においては、各アダプタ等と携帯端末装置２００、３００間のデータ交信の際に携帯端末装置２００、３００側の演算部２２８に行動データを保存することが可能である。そして、人安全確認が選択された場合に、アダプタ５の送光部２４１を介して無線等により演算部２２８から行動データを取得する。そして、この取得した行動データをＩＳＤＮ７１１を介してサーバ７０９に送る。
【０２２２】
一方、図１９のように中継器１８７を配設する場合には、この中継器１８７に演算器を内蔵し、この演算器に対し各アダプタ５等から取得した行動データを保存する。
なお、アダプタ５等で人の異常信号や不法侵入信号、火災信号、緊急信号等が検出された場合、電子メールで連絡先等に送信されるようにしてもよい。このとき、信号はＩＳＤＮ７１１を介してサーバ７０９に送られる。サーバ７０９では、受信した信号を分析することでその内容を含む電子メールを作成する。電子メールは、携帯電話７１９、携帯情報端末７２１やパソコン７２３等に送られる。
【０２２３】
次に、テレビ番組表が選択された場合について説明する。
テレビ番組表が選択された場合には、携帯端末装置２００にテレビやラジオの番組表３７１がダウンロードされる。図４２において、液晶画面２２１には、例えばＮＨＫテレビのチャンネル１の日曜日の番組及びＧコードが表示されている。操作キー２１７を上下方向に操作すれば時間送りをすることが出来る。更に上下方向に操作を続ければ日の異なる番組表２７１に移ることが出来る。
【０２２４】
また、図示しないシフトキーを繰り返し操作すれば日を更新出来る。番組表３７１は自動的に今日の現時刻のものに変わる。一方、操作キー２１７を左右方向に操作することで、チャンネルを移行することが出来る。
【０２２５】
このように、番組表３７１を繰り、視聴したい番組を見つけた場合にはその番組を予め予約登録しておくことが可能である。この場合、番組にカーソルの位置合わせを行い、図示しない「番組予約」を選択する。このとき、サーバ７０９は、ＧコードをＩＳＤＮ７１１のＤチャネルパケット通信を介してアダプタ５宛てに送る。アダプタ５の送光部２４１からＩＤデータ等と共にＧコードが赤外線等によりテレビ又はビデオに向けて送信される。このことにより、番組の予約が可能である。但し、テレビ又はビデオから送信可能とすれば、予約状況の確認が可能である。
【０２２６】
なお、「番組予約」ではなく、図示しない「番組視聴」を選択すると、番組の映像、音声がホスト側よりダウンロードされ、携帯端末装置２００にて直接視聴可能である。
【０２２７】
また、テレビやラジオを視聴するに際し、ダウンロードされた番組表３７１は現在時刻以降の番組が自動的に画面表示される。そして、番組表３７１を繰り、視聴したい番組を見つけた場合にはその番組を選択する。現在時刻で放送中の番組が選択された場合には、携帯端末装置２００の送受信部２１３から信号が発せられ、当該番組に切り換えられる。番組は複数選択可能である。経時的に、次々に連続的に番組を選択する。選択された番組は記憶され、番組の属する時刻に至ったとき自動的に送受信部２１３から信号が発せられ、チャンネルを切り換えることができる。但し、設定により、このチャンネルの切り換えまでは行わず、選択された番組の時間になったことや、これから何分後に選択された番組が始まるか等を、音声や画面表示にて案内するようにしてもよい。この際には応答をしたり、データの送信操作等を行う。高齢者は、特に視聴したい番組等のあることを忘れがちになる場合もあるが、このことにより、視聴したいテレビ番組やラジオ番組等を見逃さないようにできる。また、キー操作されることで、人の安全を確認できる。
【０２２８】
なお、本発明の第１６実施形態では、インターネット７１３のＷｅｂページにアクセスするとして説明したが、電子メールによりアクセスすることも可能である。この場合、携帯電話７１９等からインターネット７１３を介してサーバ７０９へ電子メールを送信することによって、データを要求する。
【０２２９】
サーバ７０９はその要求内容を解析し、ＩＳＤＮ７１１を介してアダプタ５に宛ててデータ要求コマンドを送る。データ要求コマンドを受信したアダプタ５は、その応答である照明等の現在の状況をＩＳＤＮ７１１を介してサーバ７０９に送る。アダプタ５からの応答を受け取ったサーバ７０９はそのデータを電子メールの形式に変換してユーザーの端末である携帯電話７１９等に送信する。このことにより、ユーザーは電子メールにて照明等の現在の状況を確認できる。
【０２３０】
また、電子メールにより電球３等の運転モードの変更やＯＮ、ＯＦＦ操作も可能なようになっている。ユーザーがこの電子メールにて「照明ＯＮ」又は「照明ＯＦＦ」等を記入すると、サーバ７０９は、その操作内容を解析し操作コマンドに変換する。その後、操作コマンドは、ＩＳＤＮ７１１のＤチャネルパケット通信を介してアダプタ５宛てに送られる。操作コマンドを受信したアダプタ５は、電球３を点灯等した後、その応答として電球３の現在の状況をＩＳＤＮ７１１を介してサーバ７０９に送る。現在の状況は電子メールの形式に変換されて携帯電話７１９等に返信される。このことにより、ユーザーは電子メールにて照明等の操作を行い、またその結果を確認できる。
【０２３１】
次に、本発明の第１７実施形態について説明する。
本発明の第１７実施形態は、不法侵入警戒モードの設定方法に関するものである。不法侵入警戒モードは、先述のようにインターネット７１３を介しても設定、解除等が可能である。本発明の第１７実施形態は、不法侵入警戒モードの設定を玄関の外にて可能とするものである。
【０２３２】
図４３に示すように、玄関等の扉４１にはシリンダー錠７５３が取り付けられている。このシリンダー錠７５３にはノブ７５７が配設されている。ノブ７５７の中央には鍵穴７５９が設けられている。鍵穴７５９を回すことで、デッドボルト７６１が扉４１側部より出没自在なようになっている。シリンダー錠７５３は、扉４１の表面と裏面とからシリンダー保持蓋７５５、７５５により扉４１に固定されている。そして、このシリンダー保持蓋７５５には小孔７６３が設けられ、この小孔７６３の表面は樹脂やガラス等で被覆され、奥には赤外線受光素子７６５が配設されている。ノブ７５７が回動されることで、ラッチボルト７６２が扉４１側部より出没自在なようになっている。扉４１の裏面であるシリンダー保持蓋７５５には制御ボックス７６７が連設されている。この制御ボックス７６７には、図４４のブロック図に示すようにデッドボルト７６１を電磁的に操作する電磁ロック部７７１が備えられている。一方、赤外線受光素子７６５には、携帯端末装置２００、３００の送受信部２１３が向けられ、この送受信部２１３から信号が発せられるようになっている。赤外線受光素子７６５にて受光された信号は、受信部７７３で増幅され、アダプタ５の演算回路５４に送信されるようになっている。一方、アダプタ５の演算回路５４から出力された指令信号は制御部７７５に送信されるようになっている。そして、この制御部７７５から与えられた信号により電磁ロック部７７１が操作されるようになっている。また、デッドボルト７６１が閉状態か、開状態かは制御部７７５から演算回路５４に送信されるようになっている。また、制御ボックス７６７にはアダプタ５のコンバータ５５より電源が供給されている。更に、扉４１の裏面にはリフレクタ４３が配設されている。
【０２３３】
かかる構成において、携帯端末装置２００、３００のメモリには予めＩＤコードと特定の暗証番号とが登録されている。そして、図示しないキーボタンを操作すると、この登録されているＩＤコード、暗証番号が送受信部２１３から送信される。但し、暗証番号は一桁ずつキー操作されるようにしてもよい。また、この番号に続けてデッドボルト７６１を閉するのか開するのかを指定するようにしてもよい。
【０２３４】
キー操作後に設定した暗証番号を確認し、ＯＫであれば送信する。送信された信号は、アダプタ５の演算回路５４に入力される。扉４１や窓等が赤外線を通過可能なガラス等で構成されている場合には、先述の通り、携帯端末装置２００、３００のリモコンから送信された赤外線信号は直接人感知センサ１３や扉感知センサ１５等で受信される。従って、この場合には、赤外線受光素子７６５、受信部７７３等は不要である。そして、演算回路５４で、入力された信号が予め登録されたＩＤコードと暗証番号か否か判断される。番号が登録済のものと一致した場合には、制御部７７５に送信される。制御部７７５では現在のデッドボルト７６１の状態が閉の場合には開信号を、開の場合には閉信号を電磁ロック部７７１に送信する。電磁ロック部７７１では、与えられた信号に基づきデッドボルト７６１を操作する。操作後のデッドボルト７６１の状態は制御部７７５に伝えられる。
【０２３５】
一方、番号が一致した場合で、かつ制御部７７５から送信された現在のデッドボルト７６１の状況を示す信号が閉信号の場合には演算回路５４では不法侵入警戒モードがモード設定される。デッドボルト７６１が閉又は開されることで、操作した人は、不法侵入警戒モードがモード設定又は解除されたことを確認できる。但し、家族が複数人存在する場合には、不法侵入警戒モードのモード設定はアダプタ５の演算回路５４や中継器１８７、変換器１２０等で人が検知されていないときに設定されるのが望ましい。または、携帯端末装置２００、３００に、不法侵入警戒モードのモード設定及びデッドボルト７６１のロックとを可能とする兼用ボタンと、デッドボルト７６１のロックのみを可能とするロック専用ボタンとをそれぞれ配設し、室内に人が残っている場合にはロック専用ボタンを押すようにしてもよい。
【０２３６】
再度、ＩＤコード、暗証番号を携帯端末装置２００、３００から送信した場合には、同様の処理が行われる。そして、不法侵入警戒モードがモード設定されている場合には解除される。
【０２３７】
なお、鍵穴７５９に鍵を差し込み回すことで機械的にもロック又はロック解除可能である。従って、万一アダプタ５や携帯端末装置２００、３００に電気的な故障が生じた場合や携帯端末装置２００、３００の電池が消耗した場合でも安心である。
【０２３８】
ピッキングを防止するため、不法侵入警戒モードのモード設定の解除は赤外線受光素子７６５を介して携帯端末装置２００、３００から送信された信号に基づき行う。従って、デッドボルト７６１がピッキングによりロック解除されたとしても、不法侵入警戒モードは設定され続けるため不法に侵入のあった旨が連絡先に通報される。連絡先は、携帯端末装置２００、３００とすることも可能である。この場合には、他の人が室内に残っているのに不法侵入警戒モードのモード設定をした等の状況が携帯端末装置２００、３００に直接通報が入ることで直ちに気付くことができる。また、不法侵入警戒モードのモード設定を玄関の内側又は外側で行うことで、不法侵入警戒モードが正常に機能しているかどうか等の日常の点検にも使用できる。ケーブル７７７が切断された場合にも先述の外部ケーブル１４２と同様の保護を行うことで通報が可能である。また、電源線が切断された場合を考慮して、アダプタ５等の電源ラインにはコンデンサ等で構成される充放電回路を備えるのが望ましい。
【０２３９】
扉４１が開放されると、リフレクタ４３の作用により不法侵入されたことを検知可能である。また、侵入者がリフレクタ４３にまで手を延ばして破壊等した場合には反射光量が減るため異常検出される。従って、侵入者は仮にピッキングにより鍵を解除できたとしても侵入できない。先述の通り、窓等からの侵入もできない。
【０２４０】
なお、人の異常状態や緊急時には、救急員等が室内に直ちに入れるよう、特定のセンター等からインターネット７１３を介してシリンダー錠７５３のデッドボルト７６１の状態を確認でき、閉されている場合には開する信号が送信されるのが望ましい。このため、ＩＤコード、暗証番号等を予め特定のセンター等に登録しておくのが望ましい。演算回路５４において、かかるセンター等からの制御は人の異常状態や緊急信号等が送出されているときに限り可能としてもよい。また、かかる人の異常状態や緊急信号等が送出された場合には、演算回路５４から強制的にデッドボルト７６１の開信号を送出するようにしてもよい。
【０２４１】
更に、不法侵入警戒モードのモード設定及び設定の解除は赤外線受光素子７６５を介して携帯端末装置２００、３００から行う。一方、シリンダー錠７５３のデッドボルト７６１のロック又はロック解除は機械的に鍵穴７５９を介してのキー操作によることとしてそれぞれの機能を独立させてもよい。この場合には、制御部７７５や電磁ロック部７７１等は不要である。また、扉４１や窓等が赤外線を通過可能なガラス等で構成されている場合には、先述の通り、携帯端末装置２００、３００のリモコンから送信された赤外線信号は直接人感知センサ１３や扉感知センサ１５等で受信される。従って、この場合には、赤外線受光素子７６５、受信部７７３等も不要である。なお、不法侵入警戒モードのモード設定及び設定の解除のされたことの確認をするため、小孔７６３を拡大して確認ランプを配設するようにしてもよい。この確認ランプは、アダプタ５等の演算回路５４から送信されるモード設定及び設定の解除のされたことの確認信号に基づき所定時間点灯される。
【０２４２】
なお、鍵の形状や構造は限定されるものではなく、例えば図４５のようにレバー７７９と鍵穴７５９とが分離されたものや、レバー７７９と鍵穴７５９とが一体化されたもの等であってもよい。赤外線受光素子７６５の配設箇所も限定されるものではない。従って、扉４１に配設された覗き穴等を通して赤外線が受光されてもよい。この場合、覗き穴にプリズムを接することにより２方向に光を分散し、その内の１方向の光を赤外線受光素子７６５にて検出する。そして、他方向の光により従来通り覗き穴を介しての人の確認が可能である。
【０２４３】
主にシリンダー錠７５３の交換工事ですむので、手順を踏めば素人でも簡単に工事できる。扉４１等の既存の設備が無駄になることもない。設備的にも安価である。
なお、このように携帯端末装置２００、３００を戸外に持ち運ぶ場合には、カメラ３３１は、ボックス１３０やアダプタ５等にも配設するのが望ましい。
【０２４４】
また、シリンダー錠７５３を機械的にロックした際に不法侵入警戒モードのモード設定を連動させてもよい。そして、ロックを解除した際に不法侵入警戒モードのモード設定を解除する。しかしながら、この場合には、ロック解除と共に不法侵入警戒モードのモード設定も解除されてしまうため、ピッキングに対しては不充分となる。従って、ロック解除時には不法侵入警戒モードのモード設定の解除を連動させず、携帯端末装置２００、３００からの送信によったり、インターネット７１３を介して設定解除を行うのが望ましい。
【０２４５】
更に、受信部７７３で受けた信号を制御部７７５に送信し、この制御部７７５で番号が一致するか否かを判断し、番号が一致した場合に電磁ロック部７７１を操作するようにしてもよい。電源は電池にしてもよい。このとき、不法侵入警戒モードを不要とすれば、ケーブル７７７は不要である。但し、受信部７７３で受けた信号を無線や赤外線、超音波等にてアダプタ５等に送信する送信手段を制御ボックス７６７に配設し、一方この信号を受信する受信手段をアダプタ５等に配設し、交信可能とすることで不法侵入警戒モードのモード設定及び解除が行えるようにしてもよい。
【０２４６】
更に、携帯端末装置２００、３００の送受信部２１３を無線にて信号送受信可能とする。但し、赤外線回路の他に無線回路を配設するようにしてもよい。一方この無線信号を送受信する送受信手段をアダプタ５等に配設し、交信可能とすることで不法侵入警戒モードのモード設定及び解除が行えるようにしてもよい。この際には、シリンダー錠７５３等は既存のまま交換しないですむ。仮にシリンダー錠７５３がピッキングされた場合でも、扉４１が開放されたことをリフレクタ４３等の使用や対向式の赤外線センサの使用で検知可能なので、不法侵入できない。また、人感知センサ１３、６９により部屋全体や窓際等が検知対象とされているので窓等からの不法侵入もできない。侵入された場合の照明の点灯や警報、写真撮影等も不法侵入の対処に寄与する。
【０２４７】
なお、携帯端末装置２００、３００では無線による送信のみを行いアダプタ５等では受信のみを行うようにしてもよい。この場合、不法侵入警戒モードのモード設定及び解除がされたことを、スピーカ５６、１２８、１５３にて特定の音又は音声で案内する。スピーカ５６、１２８、１５３での音が聞きにくい場合には、扉４１の裏面にスピーカをアダプタ５等より延長配設してもよい。また、スピーカに代えて振動可能なバイブレーション装置を延長配設してもよい。あるいは、照明を一定時間ＯＮさせてもよい。
【０２４８】
更に、携帯端末装置２００、３００は電話機能を省略して構成されてもよい。携帯端末装置２００、３００の送受信部２１３は超音波やレーザ光等で構成されてもよい。
【０２４９】
更に、外部端子ボックス１４３に、外出中スイッチ１４５に代えて赤外線受光素子７６５を配設し、携帯端末装置２００、３００からの送信信号により同様の処理を行うようにしてもよい。この際には、外部端子ボックス１４３を人の手の届かない上方等に配設可能である。
【０２５０】
更に、不法侵入警戒モードの場合に、室内の明るさが設定値以下になったとき又は予め設定した時間になったとき、リレー５１をＯＮして必要個数の電球３や蛍光管５０１を自動点灯するようにしてもよい。点灯は例えば夜１１時まで続ける。そして、点灯を何時から行うのか、あるいは何時まで継続させるのか、自動点灯を可能とするか否か、どの電球３や蛍光管５０１を自動点灯させるか、または複数本の内のいずれを自動点灯させるか等は予め設定可能とするのが望ましい。かかる不法侵入警戒モード時における自動点灯の設定はアダプタ５等においても可能であるが、リモコン、携帯端末装置２００、３００やインターネット７１３のＷｅｂページにアクセスすることでも可能である。室内を明るくすることで、不法侵入される恐れは少なくなる。
【０２５１】
更に、アダプタ５等で人の異常信号や不法侵入信号、火災信号、緊急信号等が検出された場合に、戸外の人に一刻も早く知らせられることが望ましい。このため、戸外の屋根等の適所にレーザポインタを配設する。このレーザポインタは、アダプタ５等からケーブル接続する。そして、人の異常信号等が発せられたときにはこの信号に基づきレーザビームを発する。レーザビームは、例えば道路に向かって投光する。ある程度水平方向に向けて投光してもよい。通りがかりの人や車からも認識可能である。ビームが線となって長距離に渡って示されるので誰でも気付きやすく、異常のあった家も認識されやすい。
【０２５２】
なお、アダプタ５は、図１に示すようなソケット１、内部ソケット３３を備えるタイプ、図８に示すようなロック式シーリングプラグのボディ９１、掛止電極受部９７を備えるタイプ、図３４〜図３８に示すような蛍光管に対するタイプ等があり、それぞれは独立して構成されてもよい。しかしながら、ソケット１、ボディ９１等を部品として予め提供し、これらの部品を適宜交換したり、予めコネクタ接続可能としておくことで上述の様々な態様に対し適用可能な一つのアダプタ構造としてまとめてもよい。この場合には、室内をリフォームしたり、引っ越した場合でも任意の設備に対し適用可能でありアダプタ５等が無駄にならない。
また、携帯端末装置２００、３００と組み合わせ可能なアダプタ５等は自由度を有する。例えば、アダプタ５にて人感知センサ１３を複数の焦電型赤外線センサの集合により構成し、人の移動検出を高分解能にて検出したり、モザイク状に検出したりしたもの等にも適用可能である。
【図面の簡単な説明】
【０２５３】
【図１】本発明の第１実施形態の側面断面図
【図２】同上底面図
【図３】本発明の第１実施形態の回路図
【図４】扉にリフレクタを取り付けた例
【図５】リフレクタ取り付け方法の一例
【図６】リフレクタ取り付け方法の別例
【図７】自動照明点滅動作のフローチャート
【図８】本発明の第２実施形態の側面断面図
【図９】本発明の第３実施形態の構成図
【図１０】本発明の第４実施形態の構成図
【図１１】本発明の第５実施形態の回路構成図
【図１２】同上別回路構成図
【図１３】同上別回路構成図
【図１４】本発明の第６実施形態の回路構成図
【図１５】本発明の第７実施形態の回路構成図
【図１６】本発明の第８実施形態の回路構成図
【図１７】本発明の第９実施形態の回路構成図
【図１８】本発明の第１０実施形態の回路構成図
【図１９】本発明の第１１実施形態の回路構成図
【図２０】本発明の第１２実施形態のブロック図
【図２１】本発明の第１２実施形態の外観図
【図２２】アダプタの回路構成図
【図２３】振動検出部の構成
【図２４】振動検出部の別例
【図２５】振動検出部の別例
【図２６】振動検出部の別例
【図２７】携帯端末装置が収納ボックスに収納されているときの側面図
【図２８】携帯端末装置が収納ボックスに収納されているときの正面図
【図２９】同上部分拡大図
【図３０】冷蔵庫の扉の開閉部分に対し介装されたスイッチの一例
【図３１】当接部材
【図３２】本発明の第１３実施形態の外観図
【図３３】フローチャート
【図３４】本発明の第１５実施形態のブロック図
【図３５】ブロック図の別例
【図３６】円管型蛍光管の適用例
【図３７】中間ソケット
【図３８】蛍光管が複数本の場合
【図３９】本発明の第１６実施形態のシステム構成図
【図４０】メニュー画面例
【図４１】人の行動データの表示例
【図４２】ダウンロードされた番組表
【図４３】シリンダー錠の様子を示す図
【図４４】本発明の第１７実施形態のブロック図
【図４５】レバーと鍵穴とが分離された例
【符号の説明】
【０２５４】
１  ソケット
３  電球
５、１０５  アダプタ
７、３１  電極部
９  開口
１３、６９  人感知センサ
１５、７１  扉感知センサ
１７  角状筒部
２１  フック
３３  内部ソケット
３７  プルスイッチ
４１  扉
４３  リフレクタ
５４  演算回路
５６、１２８、１５３  スピーカ
６１  壁埋め込み型化粧パネル
７３  筒部
９０  天井吊り下げ型照明器具
９１  ボディ
１１１  パネル
１２０  変換器
１２１、１５７  変調器
１２５、１６１  復調器
１２９  演算部
１３０  ボックス
１３３  緊急ボタン
１３５  ダイヤル自動接続回路
１３７  電話機
１４５  外出中スイッチ
１５１、１６９  煙感知センサ
１５５  切換回路
１６５  緊急信号
１６７  マイク
１８１、１９１  電話線
１８３  モジュラージャック分岐器
１８７  中継器
１９３  分岐器
２００  携帯端末装置
２０１  携帯電話回路
２０３  リモコン回路
２０５  ユニット
２１３  送受信部
２１５  テンキー
２１７  操作キー
２２７  人異常判断部
２４１  送光部
２４３  緊急ボタン
３１１  キー部
３１２  腕時計ケース
３１３  送話孔
３１７  時計バンド
３２１Ａ、３２１Ｂ  端子
３３１  カメラ
３３３  収納ボックス
３３４  保持部
３４３、３４４  出没板
３４５  魚眼レンズ
３４６  ガラス光学フィルタ
３４７  出没板制御部
３７１  番組表
５００  直管型蛍光管
５０１、６０１  蛍光管
５０３、５３３  電極端子
５０５  被覆体
５０９、５１１、５１３、５１５、５１７  ケーブル
６００  円管型蛍光管
６０３  電極端子
６０７  中間ソケット
６１３  ケーブル
６１５、６１７  ジャック
７０９  サーバ
７１１  ＩＳＤＮ回線
７１３  インターネット
７１７  遠隔制御装置
７１９  携帯電話
７２１  携帯情報端末
７２３  パソコン
７５３  シリンダー錠
７６１  デッドボルト
７６５  赤外線受光素子
７６７  制御ボックス
７７１  電磁ロック部
７７３  受信部
７７５  制御部
【図１】
2008299878.tif 000003
【図２】
2008299878.tif 000004
【図３】
2008299878.tif 000005
【図４】
2008299878.tif 000006
【図５】
2008299878.tif 000007
【図６】
2008299878.tif 000008
【図７】
2008299878.tif 000009
【図８】
2008299878.tif 000010
【図９】
2008299878.tif 000011
【図１０】
2008299878.tif 000012
【図１１】
2008299878.tif 000013
【図１２】
2008299878.tif 000014
【図１３】
2008299878.tif 000015
【図１４】
2008299878.tif 000016
【図１５】
2008299878.tif 000017
【図１６】
2008299878.tif 000018
【図１７】
2008299878.tif 000019
【図１８】
2008299878.tif 000020
【図１９】
2008299878.tif 000021
【図２０】
2008299878.tif 000022
【図２１】
2008299878.tif 000023
【図２２】
2008299878.tif 000024
【図２３】
2008299878.tif 000025
【図２４】
2008299878.tif 000026
【図２５】
2008299878.tif 000027
【図２６】
2008299878.tif 000028
【図２７】
2008299878.tif 000029
【図２８】
2008299878.tif 000030
【図２９】
2008299878.tif 000031
【図３０】
2008299878.tif 000032
【図３１】
2008299878.tif 000033
【図３２】
2008299878.tif 000034
【図３３】
2008299878.tif 000035
【図３４】
2008299878.tif 000036
【図３５】
2008299878.tif 000037
【図３６】
2008299878.tif 000038
【図３７】
2008299878.tif 000039
【図３８】
2008299878.tif 000040
【図３９】
2008299878.tif 000041
【図４０】
2008299878.tif 000042
【図４１】
2008299878.tif 000043
【図４２】
2008299878.tif 000044
【図４３】
2008299878.tif 000045
【図４４】
2008299878.tif 000046
【図４５】
2008299878.tif 000047